(57)【要約】一定条件下で、優先順位が下位の通信システムで通信の待ち受けを行うことができる通信機器を提供する。所定の基地局に対する接続に成功した場合、当該所定の基地局の位置を示す位置情報を記憶する記憶部３１と、記憶部３１に記憶された所定の基地局の位置情報と、機器本体の現在の位置を示す位置情報とに基づいて、機器本体が所定の基地局から所定の範囲内にあると判断した場合、当該所定の基地局に対してサーチする制御部３３と、を備える。
2014061712.tif 000002
【特許請求の範囲】
【請求項１】
所定の基地局に対する接続に成功した場合、当該所定の基地局の位置を示す位置情報を記憶する記憶部と、
前記記憶部に記憶された前記所定の基地局の位置情報と、機器本体の現在の位置を示す位置情報とに基づいて、機器本体が前記所定の基地局から所定の範囲内にあると判断した場合、当該所定の基地局に対してサーチする制御部と、を備える通信機器。
【請求項２】
所定の基地局に対する接続に成功した場合、当該成功した場所の位置を示す位置情報を記憶する記憶部と、
前記記憶部に記憶された前記位置情報と、機器本体の現在の位置を示す位置情報とに基づいて、機器本体が前記成功した場所から所定の範囲内にあると判断した場合、前記所定の基地局に対してサーチする制御部と、を備える通信機器。
【請求項３】
前記所定の基地局は、マクロセル基地局よりもカバーエリアが小さいフェムトセル基地局である請求項１に記載の通信機器。
【請求項４】
前記所定の基地局は、マクロセル基地局よりもカバーエリアが小さいフェムトセル基地局である請求項２に記載の通信機器。
【請求項５】
フェムトセル基地局が設置されている所定のエリア内にいることを認識した場合には、フェムトセル基地局に対してサーチする制御部を備える通信機器。
【請求項６】
データ通信に対応しており、音声通信には対応していない第１通信システムと、データ通信及び音声通信に対応している第２通信システムと、を含む複数の通信システムに対して所定の順序に従ってサーチする通信機器において、
前記第２通信システムに対応する基地局に対するサーチに成功した場合、当該基地局の位置を示す位置情報を記憶する記憶部と、
前記記憶部に記憶された基地局の位置情報と、機器本体の現在の位置を示す位置情報とに基づいて、機器本体が前記基地局から所定の範囲内にあると判断した場合、前記第１通信システムを除いて前記複数の通信システムの基地局に対してサーチする制御部と、を備える通信機器。
【請求項７】
通信機器において、
所定の基地局に対する接続に成功した場合、当該所定の基地局の位置を示す位置情報を記憶する記憶ステップと、
記憶された前記所定の基地局の位置情報と、機器本体の現在の位置を示す位置情報とに基づいて、機器本体が前記所定の基地局から所定の範囲内にあると判断した場合、当該所定の基地局に対してサーチする制御ステップと、を実行する通信制御方法。
【請求項８】
通信機器において、
所定の基地局に対する接続に成功した場合、当該成功した場所の位置を示す位置情報を記憶する記憶ステップと、
記憶された前記位置情報と、機器本体の現在の位置を示す位置情報とに基づいて、機器本体が前記成功した場所から所定の範囲内にあると判断した場合、前記所定の基地局に対してサーチする制御ステップと、を実行する通信制御方法。
【請求項９】
フェムトセル基地局が設置されている所定のエリア内にいることを認識した場合には、フェムトセル基地局に対してサーチする制御ステップを通信機器が実行する通信制御方法。
【請求項１０】
データ通信に対応しており、音声通信には対応していない第１通信システムと、データ通信及び音声通信に対応している第２通信システムと、を含む複数の通信システムに対して所定の順序に従ってサーチする通信機器において、
前記第２通信システムに対応する基地局に対するサーチに成功した場合、当該基地局の位置を示す位置情報を記憶する記憶ステップと、
記憶された前記基地局の位置情報と、機器本体の現在の位置を示す位置情報とに基づいて、機器本体が前記基地局から所定の範囲内にあると判断した場合、前記第１通信システムを除いて前記複数の通信システムの基地局に対してサーチする制御ステップと、を実行する通信制御方法。
【請求項１１】
第１通信制御部と、
通信システムをサーチする際に、第１通信システムを優先してサーチを開始する第２通信制御部と、を備え、
前記第１通信制御部は、サーチの要求が発生した場合、サーチの対象から前記第１通信システムを除外して、他の通信システムのサーチを開始するように前記第２通信制御部を制御する通信機器。
【請求項１２】
操作部を備え、
前記サーチの要求は、前記操作部の操作に起因して発生する請求項１１に記載の通信機器。
【請求項１３】
前記第２通信制御部は、サーチを開始した結果、第２通信システムによって通信の待ち受けを行っている場合、サーチの対象から前記第１通信システムを除外している状態を維持する請求項１１に記載の通信機器。
【請求項１４】
前記第２通信システムは、マクロセル基地局よりもカバーエリアが小さい基地局により構成されるフェムトセルに対応する通信システムである請求項１３に記載の通信機器。
【請求項１５】
前記第１通信制御部は、前記第２通信制御部により前記フェムトセルに対応する通信システム以外の通信システムで通信の待ち受けを行っている場合、サーチの対象に前記第１通信システムが含まれるように前記第２通信制御部を制御する請求項１４に記載の通信機器。
【請求項１６】
前記第１通信制御部は、サーチを開始した結果、どの通信システムに対しても通信の待ち受けができずにパワーセーブ状態に移行した場合、サーチの対象に前記第１通信システムが含まれるように前記第２通信制御部を制御する請求項１１に記載の通信機器。
【請求項１７】
前記第１通信制御部は、サーチの対象に前記第１通信システムが含まれるように前記第２通信制御部を制御した後、前記第１通信システムからサーチを開始するように前記第２通信制御部を制御する請求項１５に記載の通信機器。
【請求項１８】
前記第１通信制御部は、サーチの対象に前記第１通信システムが含まれるように前記第２通信制御部を制御した後、前記第１通信システムからサーチを開始するように前記第２通信制御部を制御する請求項１６に記載の通信機器。
【請求項１９】
設定部を備え、
前記第１通信制御部は、前記設定部により前記第１通信システムがサーチの対象に含まれるように設定されていることを条件として、サーチの対象に前記第１通信システムが含まれるように前記第２通信制御部を制御する請求項１５に記載の通信機器。
【請求項２０】
設定部を備え、
前記第１通信制御部は、前記設定部により前記第１通信システムがサーチの対象に含まれるように設定されていることを条件として、サーチの対象に前記第１通信システムが含まれるように前記第２通信制御部を制御する請求項１６に記載の通信機器。
【請求項２１】
第１通信制御部と、通信システムをサーチする際に、第１通信システムを優先してサーチを開始する第２通信制御部と、を備えた通信機器の通信制御方法であって、
サーチの要求が発生した場合、サーチの対象から前記第１通信システムを除外して、他の通信システムのサーチを開始するように、前記第１通信制御部が前記第２通信制御部を制御する通信制御方法。
【請求項２２】
第１通信制御部と、
通信システムをサーチする際に、第１通信システムを優先してサーチを開始する第２通信制御部と、を備え、
前記第１通信制御部は、サーチの結果、第２通信システムによって通信の待ち受けを行っている場合には、次回のサーチの対象から前記第１通信システムを除外するように前記第２通信制御部を制御する通信機器。
【請求項２３】
前記第１通信制御部は、サーチの対象から前記第１通信システムを除外するように前記第２通信制御部を制御した後、圏外状態、又は第３通信システムによって通信の待ち受けを行っている場合には、次回のサーチの対象に前記第１通信システムが含まれるように前記第２通信制御部を制御する請求項２２に記載の通信機器。
【請求項２４】
前記第２通信システムは、マクロセル基地局よりもカバーエリアが小さい基地局で構成される通信システムである請求項２２に記載の通信機器。
【請求項２５】
前記第３通信システムは、マクロセル基地局で構成される通信システムである請求項２３に記載の通信機器。
【請求項２６】
設定部を備え、
前記第１通信制御部は、前記設定部により前記第１通信システムがサーチの対象に含まれるように設定されていることを条件として、サーチの対象に前記第１通信システムが含まれるように前記第２通信制御部を制御する請求項２３に記載の通信機器。
【請求項２７】
前記第１通信制御部は、前記第２通信制御部により前記第２通信システム以外の通信システムで通信の待ち受けを行っている場合、サーチの対象に前記第１通信システムが含まれるように前記第２通信制御部を制御する請求項２４に記載の通信機器。
【請求項２８】
前記第１通信制御部は、サーチの結果、どの通信システムに対しても通信の待ち受けができずにパワーセーブ状態に移行した場合、サーチの対象に前記第１通信システムが含まれるように前記第２通信制御部を制御する請求項２２に記載の通信機器。
【請求項２９】
前記第１通信制御部は、サーチの対象に前記第１通信システムが含まれるように前記第２通信制御部を制御した後、前記第１通信システムからサーチを開始するように前記第２通信制御部を制御する請求項２７に記載の通信機器。
【請求項３０】
前記第１通信制御部は、サーチの対象に前記第１通信システムが含まれるように前記第２通信制御部を制御した後、前記第１通信システムからサーチを開始するように前記第２通信制御部を制御する請求項２８に記載の通信機器。
【請求項３１】
第１通信制御部と、通信システムをサーチする際に、第１通信システムを優先してサーチを開始する第２通信制御部と、を備えた通信機器の通信制御方法であって、
サーチの結果、第２通信システムによって通信の待ち受けを行っている場合には、次回のサーチの対象から前記第１通信システムを除外するように、前記第１通信制御部が前記第２通信制御部を制御する通信制御方法。
【請求項３２】
発信又は着信の際に、ＣＳフォールバック機能により回線交換方式による音声通話に非対応の第１の通信システムから回線交換方式による音声通話に対応している第２の通信システムへ切り替える通信機器であって、
ＣＳフォールバック機能による発信又は着信に失敗した場合、前記第２の通信システムを前記第１の通信システムより優先してサーチする制御部を備える通信機器。
【請求項３３】
前記第２の通信システムをサーチしている間、当該サーチの状況を表示する表示部を備える請求項３２に記載の通信機器。
【請求項３４】
着信の際に、ＣＳフォールバック機能により回線交換方式による音声通話に非対応の第１の通信システムから回線交換方式による音声通話に対応している第２の通信システムへ切り替える通信機器であって、
ＣＳフォールバック機能による着信に失敗した場合、当該着信に失敗したことを報知する制御部を備える通信機器。
【請求項３５】
前記制御部は、ＣＳフォールバック機能による着信に失敗した場合、前記第２の通信システムをサーチする請求項３４に記載の通信機器。
【請求項３６】
前記制御部は、前記第２の通信システムのサーチにより前記第２の通信システムを捕捉できなかった場合、前記第１の通信システムに待ち受ける請求項３３に記載の通信機器。
【請求項３７】
前記制御部は、前記第２の通信システムのサーチにより前記第２の通信システムを捕捉できなかった場合、前記第１の通信システムに待ち受ける請求項３５に記載の通信機器。
【請求項３８】
発信又は着信の際に、ＣＳフォールバック機能により回線交換方式による音声通話に非対応の第１の通信システムから回線交換方式による音声通話に対応している第２の通信システムへ切り替える通信機器の通信制御方法であって、
ＣＳフォールバック機能による発信又は着信に失敗した場合、前記第２の通信システムを前記第１の通信システムより優先してサーチする通信制御方法。
【請求項３９】
着信の際に、ＣＳフォールバック機能により回線交換方式による音声通話に非対応の第１の通信システムから回線交換方式による音声通話に対応している第２の通信システムへ切り替える通信機器の通信制御方法であって、
ＣＳフォールバック機能による着信に失敗した場合、当該着信に失敗したことを報知する通信制御方法。
【発明の詳細な説明】
【技術分野】
【０００１】
本発明は、通信機器及び通信制御方法に関する。
【背景技術】
【０００２】
携帯電話機等の通信機器が利用する通信システムとして、ＣＤＭＡ方式の通信システム（ＣＤＭＡシステム）又はＬＴＥ（Ｌｏｎｇ  Ｔｅｒｍ  Ｅｖｏｌｕｔｉｏｎ）方式の通信システム（ＬＴＥシステム）等がある。
これらの通信システムは、予めサーチする優先順位が定められている。
通信機器は、優先順位の高い通信システムに対応する基地局から順番にサーチを開始する（例えば、特許文献１参照）。【０００３】
ＬＴＥシステムについて、３ＧＰＰ  ＴＳ  ２３．２７２において、ＣＳフォールバック機能が規定され、この機能により、ＬＴＥシステムでＣＤＭＡシステムからの着信要求を通知することができる（例えば、非特許文献１参照）。【０００４】
さらに、ＣＳフォールバック機能を用いて音声発信をする場合、通信機器からの発信要求に対して、ＬＴＥシステムからＣＤＭＡシステムへのハンドオーバ（ハンドオフ）指示が通信機器へ送信される。ハンドオーバ指示を受けた通信機器は、ＬＴＥシステムからＣＤＭＡシステムへ切り替え、所定の発信処理を行う。
【先行技術文献】
【特許文献】
【０００５】
【特許文献１】特開２００９−１０７８５号公報
【非特許文献】
【０００６】
【非特許文献１】３ＧＰＰ  ＴＳ  ２３．２７２  Ｖ１１．２．０，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１２−０９
【発明の概要】
【発明が解決しようとする課題】
【０００７】
通信機器は、優先順位が上位の通信システムのエリアの範囲内であって、かつ優先順位が下位の通信システムのエリアの範囲内でもある場合、優先順位に従うので、下位の通信システムで通信の待ち受けをすることができない虞がある。【０００８】
しかしながら、電波状況等の理由から、上述のような状況でも、優先順位が下位の通信システムで通信の待ち受けを行いたい場合がある。【０００９】
本発明は、一定条件下で、優先順位が下位の通信システムで通信の待ち受けを行うことができる通信機器を提供することを目的とする。【００１０】
また、通信機器は、ＣＳフォールバックによる発信又は着信に失敗した場合、再度ＬＴＥシステムに待ち受けてしまうと、発信又は着信に再度失敗するおそれがあった。【００１１】
本発明は、通信システムの切り替えに関する不都合を回避し、発信又は着信をより快適に行える通信機器及び通信制御方法を提供することを目的とする。
【課題を解決するための手段】
【００１２】
本発明に係る通信機器は、上記課題を解決するために、所定の基地局に対する接続に成功した場合、当該所定の基地局の位置を示す位置情報を記憶する記憶部と、前記記憶部に記憶された前記所定の基地局の位置情報と、機器本体の現在の位置を示す位置情報とに基づいて、機器本体が前記所定の基地局から所定の範囲内にあると判断した場合、当該所定の基地局に対してサーチする制御部と、を備える構成である。【００１３】
本発明に係る通信機器は、上記課題を解決するために、所定の基地局に対する接続に成功した場合、当該成功した場所の位置を示す位置情報を記憶する記憶部と、前記記憶部に記憶された前記位置情報と、機器本体の現在の位置を示す位置情報とに基づいて、機器本体が前記成功した場所から所定の範囲内にあると判断した場合、前記所定の基地局に対してサーチする制御部と、を備える構成である。【００１４】
前記所定の基地局は、マクロセル基地局よりもカバーエリアが小さいフェムトセル基地局であってもよい。【００１５】
本発明に係る通信機器は、上記課題を解決するために、フェムトセル基地局が設置されている所定のエリア内にいることを認識した場合には、フェムトセル基地局に対してサーチする制御部を備える構成である。【００１６】
本発明に係る通信機器は、上記課題を解決するために、データ通信に対応しており、音声通信には対応していない第１通信システムと、データ通信及び音声通信に対応している第２通信システムと、を含む複数の通信システムに対して所定の順序に従ってサーチする通信機器において、前記第２通信システムに対応する基地局に対するサーチに成功した場合、当該基地局の位置を示す位置情報を記憶する記憶部と、前記記憶部に記憶された基地局の位置情報と、機器本体の現在の位置を示す位置情報とに基づいて、機器本体が前記基地局から所定の範囲内にあると判断した場合、前記第１通信システムを除いて前記複数の通信システムの基地局に対してサーチする制御部とを備える構成である。【００１７】
本発明に係る通信制御方法は、上記課題を解決するために、通信機器において、所定の基地局に対する接続に成功した場合、当該所定の基地局の位置を示す位置情報を記憶する記憶ステップと、記憶された前記所定の基地局の位置情報と、機器本体の現在の位置を示す位置情報とに基づいて、機器本体が前記所定の基地局から所定の範囲内にあると判断した場合、当該所定の基地局に対してサーチする制御ステップと、を実行する構成である。【００１８】
本発明に係る通信制御方法は、上記課題を解決するために、通信機器において、所定の基地局に対する接続に成功した場合、当該成功した場所の位置を示す位置情報を記憶する記憶ステップと、記憶された前記位置情報と、機器本体の現在の位置を示す位置情報とに基づいて、機器本体が前記成功した場所から所定の範囲内にあると判断した場合、前記所定の基地局に対してサーチする制御ステップと、を実行する構成である。【００１９】
本発明に係る通信制御方法は、上記課題を解決するために、フェムトセル基地局が設置されている所定のエリア内にいることを認識した場合には、フェムトセル基地局に対してサーチする制御ステップを通信機器が実行する構成である。【００２０】
本発明に係る通信制御方法は、上記課題を解決するために、データ通信に対応しており、音声通信には対応していない第１通信システムと、データ通信及び音声通信に対応している第２通信システムと、を含む複数の通信システムに対して所定の順序に従ってサーチする通信機器において、前記第２通信システムに対応する基地局に対するサーチに成功した場合、当該基地局の位置を示す位置情報を記憶する記憶ステップと、記憶された前記基地局の位置情報と、機器本体の現在の位置を示す位置情報とに基づいて、機器本体が前記基地局から所定の範囲内にあると判断した場合、前記第１通信システムを除いて前記複数の通信システムの基地局に対してサーチする制御ステップと、を実行する構成である。【００２１】
本発明に係る通信機器は、上記課題を解決するために、第１通信制御部と、通信システムをサーチする際に、第１通信システムを優先してサーチを開始する第２通信制御部と、を備え、前記第１通信制御部は、サーチの要求が発生した場合、サーチの対象から前記第１通信システムを除外して、他の通信システムのサーチを開始するように前記第２通信制御部を制御する構成である。【００２２】
通信機器は、操作部を備え、前記サーチの要求は、前記操作部の操作に起因して発生する構成でもよい。【００２３】
前記第２通信制御部は、サーチを開始した結果、第２通信システムによって通信の待ち受けを行っている場合、サーチの対象から前記第１通信システムを除外している状態を維持する構成でもよい。【００２４】
前記第２通信システムは、マクロセル基地局よりもカバーエリアが小さい基地局により構成されるフェムトセルに対応する通信システムであってもよい。【００２５】
前記第１通信制御部は、前記第２通信制御部により前記フェムトセルに対応する通信システム以外の通信システムで通信の待ち受けを行っている場合、サーチの対象に前記第１通信システムが含まれるように前記第２通信制御部を制御する構成でもよい。【００２６】
前記第１通信制御部は、サーチを開始した結果、どの通信システムに対しても通信の待ち受けができずにパワーセーブ状態に移行した場合、サーチの対象に前記第１通信システムが含まれるように前記第２通信制御部を制御する構成でもよい。【００２７】
前記第１通信制御部は、サーチの対象に前記第１通信システムが含まれるように前記第２通信制御部を制御した後、前記第１通信システムからサーチを開始するように前記第２通信制御部を制御する構成でもよい。【００２８】
通信機器は、設定部を備え、前記第１通信制御部は、前記設定部により前記第１通信システムがサーチの対象に含まれるように設定されていることを条件として、サーチの対象に前記第１通信システムが含まれるように前記第２通信制御部を制御する構成でもよい。【００２９】
本発明に係る通信制御方法は、上記課題を解決するために、第１通信制御部と、通信システムをサーチする際に、第１通信システムを優先してサーチを開始する第２通信制御部と、を備えた通信機器の通信制御方法であって、サーチの要求が発生した場合、サーチの対象から前記第１通信システムを除外して、他の通信システムのサーチを開始するように、前記第１通信制御部が前記第２通信制御部を制御する構成である。【００３０】
本発明に係る通信機器は、上記課題を解決するために、第１通信制御部と、通信システムをサーチする際に、第１通信システムを優先してサーチを開始する第２通信制御部と、を備え、前記第１通信制御部は、サーチの結果、第２通信システムによって通信の待ち受けを行っている場合には、次回のサーチの対象から前記第１通信システムを除外するように前記第２通信制御部を制御する構成である。【００３１】
前記第１通信制御部は、サーチの対象から前記第１通信システムを除外するように前記第２通信制御部を制御した後、圏外状態、又は第３通信システムによって通信の待ち受けを行っている場合には、次回のサーチの対象に前記第１通信システムが含まれるように前記第２通信制御部を制御する構成でもよい。【００３２】
前記第２通信システムは、マクロセル基地局よりもカバーエリアが小さい基地局で構成される通信システムであってもよい。【００３３】
前記第３通信システムは、マクロセル基地局で構成される通信システムであってもよい。【００３４】
設定部を備え、前記第１通信制御部は、前記設定部により前記第１通信システムがサーチの対象に含まれるように設定されていることを条件として、サーチの対象に前記第１通信システムが含まれるように前記第２通信制御部を制御する構成でもよい。【００３５】
前記第１通信制御部は、前記第２通信制御部により前記第２通信システム以外の通信システムで通信の待ち受けを行っている場合、サーチの対象に前記第１通信システムが含まれるように前記第２通信制御部を制御する構成でもよい。【００３６】
前記第１通信制御部は、サーチの結果、どの通信システムに対しても通信の待ち受けができずにパワーセーブ状態に移行した場合、サーチの対象に前記第１通信システムが含まれるように前記第２通信制御部を制御する構成でもよい。【００３７】
前記第１通信制御部は、サーチの対象に前記第１通信システムが含まれるように前記第２通信制御部を制御した後、前記第１通信システムからサーチを開始するように前記第２通信制御部を制御する構成でもよい。【００３８】
本発明に係る通信制御方法は、上記課題を解決するために、第１通信制御部と、通信システムをサーチする際に、第１通信システムを優先してサーチを開始する第２通信制御部と、を備えた通信機器の通信制御方法であって、サーチの結果、第２通信システムによって通信の待ち受けを行っている場合には、次回のサーチの対象から前記第１通信システムを除外するように、前記第１通信制御部が前記第２通信制御部を制御する構成である。【００３９】
本発明に係る通信機器は、発信又は着信の際に、ＣＳフォールバック機能により音声通話が不可能な第１の通信システムから音声通話が可能な第２の通信システムへ切り替える通信機器であって、ＣＳフォールバック機能による発信又は着信に失敗した場合、前記第２の通信システムをサーチする制御部を備える。【００４０】
前記通信機器は、前記第２の通信システムをサーチしている間、当該サーチの状況を表示する表示部を備えてもよい。【００４１】
本発明に係る通信機器は、発信又は着信の際に、ＣＳフォールバック機能により音声通話が不可能な第１の通信システムから音声通話が可能な第２の通信システムへ切り替える通信機器であって、ＣＳフォールバック機能による着信に失敗した場合、当該着信に失敗したことを報知する制御部を備える。【００４２】
前記制御部は、ＣＳフォールバック機能による着信に失敗した場合、前記第２の通信システムをサーチしてもよい。【００４３】
前記制御部は、前記第２の通信システムのサーチにより前記第２の通信システムを捕捉できなかった場合、前記第１の通信システムに待ち受けてもよい。【００４４】
本発明に係る通信制御方法は、発信又は着信の際に、ＣＳフォールバック機能により音声通話が不可能な第１の通信システムから音声通話が可能な第２の通信システムへ切り替える通信機器の通信制御方法であって、ＣＳフォールバック機能による発信又は着信に失敗した場合、前記第２の通信システムをサーチする。【００４５】
本発明に係る通信制御方法は、発信又は着信の際に、ＣＳフォールバック機能により音声通話が不可能な第１の通信システムから音声通話が可能な第２の通信システムへ切り替える通信機器の通信制御方法であって、ＣＳフォールバック機能による着信に失敗した場合、当該着信に失敗したことを報知する。
【発明の効果】
【００４６】
本発明によれば、通信機器は、一定条件下で、優先順位が下位の通信システムで通信の待ち受けを行うことができる。【００４７】
本発明によれば、通信機器は、通信システムの切り替えに関する不都合を回避し、発信又は着信をより快適に行える。
【図面の簡単な説明】
【００４８】
【図１】第１実施形態に係る、携帯電話機の外観を示す斜視図である。
【図２】第１実施形態に係る、携帯電話機の機能を示すブロック図である。
【図３】第２実施形態に係る、携帯電話機を中心として、フェムトセル基地局が携帯電話機の現在位置から所定の範囲内に入ったかどうかを判断する際の動作についての説明に供する図である。
【図４】第３実施形態に係る、過去に接続した場所を中心として、携帯電話機が所定の範囲内に入ったかどうかを判断する際の動作についての説明に供する図である。
【図５】第４実施形態に係る、フェムトセル基地局に対するサーチが成功し、フェムトセル基地局の位置情報を記憶するときの動作についての説明に供するフローチャートである。
【図６】第４実施形態に係る、記憶部に記憶されているフェムトセル基地局の位置情報を参照し、携帯電話機が所定の範囲内にあるかどうかを判断するときの動作についての説明に供するフローチャートである。
【図７】第５実施形態に係る、携帯電話機の機能を示すブロック図である。
【図８】第５実施形態に係る、ＬＴＥシステムの設定を変更するかどうかを決定する際に参照されるテーブルの模式図である。
【図９】第５実施形態に係る、通信システムの再起動（リスタート）を行うかどうかを決定する際に参照されるテーブルの模式図である。
【図１０】第５実施形態に係る、フェムトセルに対応する通信システムの待ち受けを行った場合のシーケンスについての説明に供する図である。
【図１１】第５実施形態に係る、国内公衆網圏内で待ち受けを行った場合のシーケンスについての説明に供する図である。
【図１２】第６実施形態に係る、携帯電話機の機能を示すブロック図である。
【図１３】第６実施形態に係る、ＬＴＥシステムの設定を変更するかどうかを決定する際に参照されるテーブルの模式図である。
【図１４】第６実施形態に係る、通信システムの再起動（リスタート）を行うかどうかを決定する際に参照されるテーブルの模式図である。
【図１５】第６実施形態に係る、ＬＴＥシステムの圏外時にフェムトセルに対応する通信システムの待ち受けを行った場合のシーケンスについての説明に供する図である。
【図１６】第６実施形態に係る、国内公衆網圏内で待ち受けを行った場合のシーケンスについての説明に供する図である。
【図１７】第６実施形態に係る、フェムトセルのエリアの圏内及び圏外におけるＬＴＥシステムの設定変更についての説明に供するフローチャートである。
【図１８】第７実施形態に係る、スマートフォンの外観を示す斜視図である。
【図１９】第７実施形態に係る、スマートフォンの外観を示す正面図である。
【図２０】第７実施形態に係る、スマートフォンの外観を示す背面図である。
【図２１】第７実施形態に係る、スマートフォンの構成を示すブロック図である。
【図２２】第７実施形態に係る、音声発信処理を示すフローチャートである。
【図２３】第７実施形態に係る、音声着信処理を示すフローチャートである。
【発明を実施するための形態】
【００４９】
［第１実施形態］
以下、本発明の第１実施形態について説明する。なお、本実施形態では、通信機器の一例として携帯電話機１を説明する。
【００５０】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００５１】
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００５２】
また、表示部側筐体３は、表面部２０に、各種情報を表示するための表示部２１と、通話の相手側の音声を出力するレシーバ２２と、を備えて構成されている。
【００５３】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００５４】
このように構成される携帯電話機１は、一定条件下で、優先順位が下位の通信システム（例えば、フェムトセルに対応する通信システム）で通信の待ち受けを行うように動作する。
【００５５】
フェムトセルに対応する通信システムとは、高層マンション等のエリア不感地対策として各家庭に小型のセルを設置し、ユーザのＢＢ（Ｂｒｏａｄｂａｎｄ）回線等を使用して音声及びデータ通信を行う通信システムのことである。
【００５６】
フェムトセルは、家庭や小規模オフィスに設置される超小型基地局によって実現される。超小型基地局は、家庭内の固定電話に繋がっている固定回線（電話回線）、光ファイバー、又はＣＡＴＶ用ケーブル等と接続されて、携帯電話機１が受信できる電波を発する。
【００５７】
超小型基地局が発する電波は、出力以外は屋外に配置されている通常の外部基地局と同様である。したがって、携帯電話機１は、外部基地局との間で音声及びデータ通信を行う場合と同様の手順で、超小型基地局との間で音声及びデータ通信を行うことができる。
【００５８】
また、ＣＳＦＢ（Ｃｉｒｃｕｉｔ  Ｓｗｉｔｃｈｅｄ  Ｆａｌｌｂａｃｋ）機能を実現するためには、外部基地局は、ＬＴＥシステムで待ち受け中の携帯電話機１が物理的にどのＣＤＭＡシステムのエリアにいるかを知る必要がある。ＣＳＦＢとは、回線交換フォールバックのことであり、データ通信網（例えば、ＬＴＥシステム）を３Ｇシステム等の回線交換に切り替える仕組みのことである。
【００５９】
ここで、ＬＴＥシステムで待ち受けを行っている携帯電話機１に対して音声通信の着信があった場合に、ＣＳＦＢによりＣＤＭＡシステムに切り替える際の処理について説明する。
外部基地局は、携帯電話機１に着信があった場合に、ＬＴＥシステムとＣＤＭＡシステムとのエリアのマッピングデータに基づいて、現在、携帯電話機１が属しているＣＤＭＡシステムのエリアを特定し、特定したＣＤＭＡシステムのエリアにＣＳＦＢするようにＬＴＥシステムを利用して携帯電話機１へ通知する。
携帯電話機１は、当該通知に応じて、ＬＴＥシステムからＣＤＭＡシステムに切り替え、外部基地局にレジストレーションを行う。
外部基地局は、当該レジストレーションに応じて、位置登録情報を更新し、携帯電話機１に対してＣＤＭＡシステムにより着信を通知する。
携帯電話機１は、当該通知に応じて、所定の報知を行う。携帯電話機１は、ユーザによる操作に応じて、通話を開始する。
【００６０】
ところで、高層マンション等のエリア不感地にフェムトセル基地局を設置している場合、公衆網の音声プロトコル（ＣＤＭＡシステム）は、圏外であることが多い。
つまり、このようなエリアにおいて、携帯電話機１がＬＴＥシステムで待ち受けを行っている場合に、上述のようなＣＳＦＢを行おうと試みると、外部基地局は、ＬＴＥシステムとフェムトセル基地局のマッピングデータを有していないため、ＣＳＦＢが失敗し、携帯電話機１は、音声通信の発着信が行えなくなる。
【００６１】
また、ＣＳＦＢ機能を有する通信機器では、待ち受ける通信システムの優先順位が、「ＬＴＥシステム＞３Ｇシステム（ＣＤＭＡシステム、ＵＭＴＳ等）」のように予め定められている。よって、ＬＴＥシステムは、３Ｇシステムに対応するフェムトセルよりも優先順位が高いので、ＬＴＥシステムのエリアの範囲内であり、かつ３Ｇシステムに対応するフェムトセル基地局のエリアの範囲内の場合には、携帯電話機１は、３Ｇシステムに対応するフェムトセルに待ち受けることが困難となる。
【００６２】
携帯電話機１は、一定条件下で、優先順位が下位の通信システムで通信の待ち受けを行うように動作する。以下に具体的な構成について説明する。
【００６３】
携帯電話機１は、図２に示すように、通信部３２と、制御部３３と、を備える。
通信部３２は、所定の規格に準拠する通信方式を用いて通信を行う。例えば、通信部３２は、所定の規格として、２Ｇ、３Ｇ、４Ｇ等のセルラーフォンの通信規格に対応している。セルラーフォンの通信規格としては、ＬＴＥ（Ｌｏｎｇ  Ｔｅｒｍ  Ｅｖｏｌｕｔｉｏｎ）（登録商標）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）（登録商標）、フェムトセルに対応する通信規格等がある。
【００６４】
制御部３３は、携帯電話機１がフェムトセル基地局の設置されている所定のエリア内にいることを認識した場合は、フェムトセル基地局に対してサーチする。
【００６５】
このようにして、携帯電話機１は、フェムトセル基地局が設置されている所定のエリア内にいることを認識した場合には、フェムトセル基地局に対してサーチを行うので、データ通信及び音声通信を良好に行うことができる。
【００６６】
［第２実施形態］
本実施形態の携帯電話機１は、図２に示すように、記憶部３１と、通信部３２と、制御部３３と、を備える。なお、通信部３２は、第１実施形態と同様の構成である。
記憶部３１は、所定の基地局に対する接続に成功した場合、当該所定の基地局の位置を示す位置情報を記憶する。なお、記憶部３１には、複数の基地局の位置情報が記憶される構成でもよい。
【００６７】
制御部３３は、記憶部３１に記憶された所定の基地局の位置情報と、機器本体の現在の位置を示す位置情報とに基づいて、機器本体が所定の基地局から所定の範囲内にあると判断した場合、当該所定の基地局に対してサーチする。
【００６８】
所定の基地局は、例えば、マクロセル基地局よりもカバーエリアが小さいフェムトセル基地局である。本実施形態では、フェムトセル基地局の設置場所は、携帯電話機１を所有するユーザの自宅内であるものとして説明するが、ユーザの自宅内に限られない。
【００６９】
また、携帯電話機１は、衛星測位システムに対応したＧＰＳ機能を有している。制御部３３は、ＧＰＳ機能を利用して、機器本体の現在の位置を示す位置情報を取得する。
【００７０】
携帯電話機１は、フェムトセル基地局に対する接続に成功した場合には、当該フェムトセル基地局に対して、位置情報を送信するように通知する。フェムトセル基地局は、携帯電話機１からの通知に応じて、フェムトセル基地局の位置情報を携帯電話機１に送信する。なお、携帯電話機１は、フェムトセル基地局から自動的に位置情報が携帯電話機１に送信される場合には、当該通知を行わない。
【００７１】
携帯電話機１は、受信した位置情報をフェムトセル基地局のＩＤに関連付けて記憶部３１に記憶する。なお、位置情報は、フェムトセル基地局が配置されている場所を示す情報であり、緯度及び経度によって表される。また、位置情報には、フェムトセル基地局が配置されている高さ（標高）を示す情報が含まれていてもよい。
【００７２】
携帯電話機１は、所定のタイミングで、記憶部３１に記憶されているフェムトセル基地局１０１の位置情報を参照し、機器本体の現在位置からフェムトセル基地局１０１が所定の範囲内（図３中のＡ）に入っていると判断した場合、フェムトセル基地局１０１に対してサーチを行う。なお、範囲Ａは、フェムトセル基地局１０１のエリア（図３中のＢ）に含まれているものとする。
【００７３】
また、図３に示す例では、携帯電話機１は、機器本体（自身）を中心として、フェムトセル基地局１０１が所定の範囲内に入ったかどうかを判断する構成にしたが、これに限られない。携帯電話機１は、フェムトセル基地局１０１を中心として、自身が所定の範囲内に入ったかどうかを判断する構成でもよい。
【００７４】
所定のタイミングとは、携帯電話機１の充電が開始されたとき、携帯電話機１が所定のインタフェース（例えば、ＨＤＭＩ（登録商標）又はＭＨＬ（登録商標））により外部機器と接続されたとき、携帯電話機１がＷｉ−Ｆｉ（登録商標）に準拠したＡＰ（アクセスポイント）に接続したとき、携帯電話機１が近距離無線通信の機能を利用して自宅の鍵を解錠したとき等が考えられる。
【００７５】
このようにして、携帯電話機１は、過去に接続したことがあるフェムトセル基地局が所定の範囲内に入った場合に、自動的にフェムトセル基地局に対してサーチすることができる。
【００７６】
また、携帯電話機１は、ＬＴＥシステムのエリアの範囲内であり、かつ過去に接続したことがあるフェムトセル基地局のエリアの範囲内の場合には、フェムトセル基地局に対してサーチを行うので、データ通信及び音声通信を良好に行うことができる。
【００７７】
［第３実施形態］
本実施形態の携帯電話機１は、図２に示すように、記憶部３１と、通信部３２と、制御部３３と、を備える。なお、通信部３２は、第１実施形態と同様の構成である。
記憶部３１は、携帯電話機１が所定の基地局に対する接続に成功した場合、当該成功した場所の位置を示す位置情報を記憶する。なお、記憶部３１には、複数の場所の位置情報が記憶される構成でもよい。
【００７８】
制御部３３は、記憶部３１に記憶された位置情報と、機器本体の現在の位置を示す位置情報とに基づいて、機器本体が過去に所定の基地局への接続に成功した場所から所定の範囲内にあると判断した場合、所定の基地局に対してサーチする。
【００７９】
所定の基地局は、例えば、マクロセル基地局よりもカバーエリアが小さいフェムトセル基地局である。本実施形態では、フェムトセル基地局の設置場所は、携帯電話機１を所有するユーザの自宅内であるものとして説明するが、ユーザの自宅内に限られない。
【００８０】
また、携帯電話機１は、第１実施形態と同様に、衛星測位システムに対応したＧＰＳ機能を有している。制御部３３は、ＧＰＳ機能を利用して、機器本体の現在の位置を示す位置情報を取得する。
【００８１】
携帯電話機１は、フェムトセル基地局に対する接続に成功した場合には、成功した場所の位置情報をＧＰＳ機能により取得する。
【００８２】
携帯電話機１は、取得した位置情報をフェムトセル基地局のＩＤに関連付けて記憶部３１に記憶する。なお、位置情報は、フェムトセル基地局に対する接続に成功した場所を示す情報であり、緯度及び経度によって表される。また、位置情報には、携帯電話機１の高さ（標高）を示す情報が含まれていてもよい。
【００８３】
携帯電話機１は、所定のタイミングで、記憶部３１に記憶されている位置情報（図４中のＣ）を参照し、機器本体（自身）の現在位置が位置情報から所定の範囲内（図４中のＤ）に入っていると判断した場合、位置情報に関連付けられているフェムトセル基地局１０１に対してサーチを行う。なお、範囲Ｄは、フェムトセル基地局１０１のエリア（図４中のＥ）に含まれているものとする。
【００８４】
所定のタイミングとは、携帯電話機１の充電が開始されたとき、携帯電話機１が所定のインタフェース（例えば、ＨＤＭＩ又はＭＨＬ）により外部機器と接続されたとき、携帯電話機１がＷｉ−Ｆｉに準拠したＡＰ（アクセスポイント）に接続したとき、携帯電話機１が近距離無線通信の機能を利用して自宅の鍵を解錠したとき等が考えられる。
【００８５】
このようにして、携帯電話機１は、過去に接続が成功した場所から所定の範囲内に入った場合に、自動的にフェムトセル基地局に対してサーチすることができる。
【００８６】
また、携帯電話機１は、ＬＴＥシステムのエリアの範囲内であり、かつフェムトセル基地局のエリアの範囲内である場合には、フェムトセル基地局に対してサーチを行うので、データ通信及び音声通信を良好に行うことができる。
【００８７】
［第４実施形態］
本実施形態の携帯電話機１は、記憶部３１と、通信部３２と、制御部３３と、を備え、データ通信に対応しており、音声通信には対応していない第１通信システムと、データ通信及び音声通信に対応している第２通信システムと、を含む複数の通信システムの基地局に対して所定の順序に従ってサーチする。なお、通信部３２の構成は、第１実施形態と同様である。携帯電話機１は、所定の順序にしたがって、第１通信システムの基地局を第２通信システムの基地局よりも優先してサーチする。
【００８８】
記憶部３１は、第２通信システムに対応する基地局に対するサーチに成功した場合、当該基地局の位置を示す位置情報を記憶する。
【００８９】
制御部３３は、記憶部３１に記憶された基地局の位置情報と、機器本体の現在の位置を示す位置情報とに基づいて、機器本体が基地局から所定の範囲内にあると判断した場合、第１通信システムを除いて他の複数の通信システムの基地局に対してサーチする。
【００９０】
第１通信システムとは、例えば、ＬＴＥ方式の通信システム（ＬＴＥシステム）である。第２通信システムとは、例えば、フェムトセルに対応する通信システムである。ここで、フェムトセルに対応する通信システムとは、フェムトセル基地局により構成される通信システムである。なお、構成される基地局は、フェムトセルに限られず、ナノセル又はピコセルであってもよい。第２通信システムに対応する通信方式は、例えば、ＣＤＭＡ２０００＿１ｘ方式又はＵＭＴＳ方式である。
また、第２通信システムに対応する基地局とは、マクロセル基地局よりもカバーエリアが小さいフェムトセル基地局である。本実施形態では、フェムトセル基地局の設置場所は、携帯電話機１を所有するユーザの自宅内であるものとして説明するが、ユーザの自宅内に限られない。
【００９１】
また、携帯電話機１は、衛星測位システムに対応したＧＰＳ機能を有している。制御部３３は、ＧＰＳ機能を利用して、機器本体の現在の位置を示す位置情報を取得する。
【００９２】
携帯電話機１は、フェムトセル基地局に対する接続に成功した場合には、当該フェムトセル基地局に対して、位置情報を送信するように通知する。フェムトセル基地局は、携帯電話機１からの通知に応じて、フェムトセル基地局の位置情報を携帯電話機１に送信する。なお、携帯電話機１は、フェムトセル基地局から自動的に位置情報が携帯電話機１に送信される場合には、当該通知を行わない。
【００９３】
携帯電話機１は、受信した位置情報をフェムトセル基地局のＩＤに関連付けて記憶部３１に記憶する。なお、位置情報は、フェムトセル基地局が配置されている場所を示す情報であり、緯度及び経度によって表される。また、位置情報には、フェムトセル基地局が配置されている高さ（標高）を示す情報が含まれていてもよい。
【００９４】
携帯電話機１は、所定のタイミングで、記憶部３１に記憶されているフェムトセル基地局１０１の位置情報を参照し、機器本体（自身）の現在位置からフェムトセル基地局１０１が所定の範囲内（図３中のＡ）に入っていると判断した場合、フェムトセル基地局１０１に対してサーチを行う。なお、範囲Ａは、フェムトセル基地局１０１のエリア（図３中のＢ）に含まれているものとする。
【００９５】
また、図３に示す例では、携帯電話機１は、自身を中心として、フェムトセル基地局１０１が所定の範囲内に入ったかどうかを判断する構成にしたが、これに限られない。携帯電話機１は、フェムトセル基地局１０１を中心として、自身が所定の範囲内に入ったかどうかを判断する構成でもよい。
【００９６】
所定のタイミングとは、携帯電話機１の充電が開始されたとき、携帯電話機１が所定のインタフェース（例えば、ＨＤＭＩ又はＭＨＬ）により外部機器と接続されたとき、携帯電話機１がＷｉ−Ｆｉに準拠したＡＰ（アクセスポイント）に接続したとき、携帯電話機１が近距離無線通信の機能を利用して自宅の鍵を解錠したとき等が考えられる。
【００９７】
このようにして、携帯電話機１は、過去に接続したことがあるフェムトセル基地局が所定の範囲内に入った場合に、自動的にフェムトセル基地局に対してサーチすることができる。
【００９８】
また、携帯電話機１は、ＬＴＥシステムのエリアの範囲内であり、かつ過去に接続したことがあるフェムトセル基地局のエリアの範囲内の場合には、フェムトセル基地局に対してサーチを行うので、データ通信及び音声通信を良好に行うことができる。
【００９９】
つぎに、フェムトセル基地局に対するサーチが成功し、携帯電話機１がフェムトセル基地局の位置情報を記憶するときの動作について、図５に示すフローチャートを参照しながら説明する。
【０１００】
ステップＳＴ１において、制御部３３は、フェムトセル基地局に対するサーチが成功し、フェムトセルに対応する通信システムにより通信の待ち受けを行う。
【０１０１】
ステップＳＴ２において、制御部３３は、フェムトセル基地局から送信されてきた報知情報に基づいて、フェムトセル基地局が配置されている場所を示す情報（緯度及び経度）を取得し、記憶部３１に保持する。なお、場所を示す情報には、フェムトセル基地局が配置されている高さ（標高）を示す情報が含まれていてもよい。
また、制御部３３は、報知情報に場所を示す情報が含まれていない場合には、フェムトセル基地局に対して、位置情報を送信するように通知する構成でもよい。
【０１０２】
つぎに、携帯電話機１がＬＴＥシステムにより待ち受けを行っている場合において、記憶部３１に記憶されているフェムトセル基地局の位置情報を参照し、携帯電話機１が所定の範囲内にあるかどうかを判断するときの動作について、図６に示すフローチャートを参照しながら説明する。なお、以下では、記憶部３１には、過去において、携帯電話機１がサーチに成功したことがあるフェムトセル基地局の位置を示す位置情報が記憶されているものとする。
【０１０３】
ステップＳＴ１１において、制御部３３は、ＬＴＥシステムにより通信の待ち受けを行う。
【０１０４】
ステップＳＴ１２において、制御部３３は、所定のタイミングで、記憶部３１に記憶されているフェムトセル基地局１０１の位置情報を参照する。所定のタイミングとは、上述したように、携帯電話機１の充電が開始されたとき、携帯電話機１が所定のインタフェース（例えば、ＨＤＭＩ又はＭＨＬ）により外部機器と接続されたとき、携帯電話機１がＷｉ−Ｆｉに準拠したＡＰ（アクセスポイント）に接続したとき、携帯電話機１が近距離無線通信の機能を利用して自宅の鍵を解錠したとき等が考えられる。
【０１０５】
ステップＳＴ１３において、制御部３３は、フェムトセル基地局の位置情報と、機器本体の現在の位置を示す位置情報とに基づいて、機器本体がフェムトセル基地局から所定の範囲内にあるかどうかを判断する。機器本体がフェムトセル基地局から所定の範囲内にあると判断した場合（ＹＥＳ）には、ステップＳＴ１５に進み、機器本体がフェムトセル基地局から所定の範囲内にないと判断した場合（ＮＯ）には、ステップＳＴ１４に進む。
【０１０６】
ステップＳＴ１４において、制御部３３は、一定時間待って、ステップＳＴ１２の工程の処理を行う。一定時間とは、例えば、３０秒である。
【０１０７】
ステップＳＴ１５において、制御部３３は、ＬＴＥシステムを切断処理する。つまり、携帯電話機１は、どの通信システムに対しても接続されていない状態になる。
【０１０８】
ステップＳＴ１６において、制御部３３は、ＬＴＥシステムの基地局をサーチの対象に含まないように制御する。
ステップＳＴ１７において、制御部３３は、フェムトセル基地局に対するサーチを実行する。
【０１０９】
ステップＳＴ１８において、制御部３３は、ステップＳＴ１７の工程のサーチによって、フェムトセルに対応する通信システムの待ち受けに成功したかどうかを判断する。フェムトセルに対応する通信システムの待ち受けに成功したと判断した場合（ＹＥＳ）には、以後、フェムトセルに対応する通信システムを利用して、音声及びデータ通信を行う。フェムトセルに対応する通信システムの待ち受けに成功しなかったと判断した場合（ＮＯ）には、ステップＳＴ１９に進む。
【０１１０】
ステップＳＴ１９において、制御部３３は、ＬＴＥシステムの基地局をサーチの対象に含むように制御する。
ステップＳＴ２０において、制御部３３は、サーチの優先順位にしたがって、ＬＴＥシステムの基地局に対してサーチを実行する。
【０１１１】
このようにして、携帯電話機１は、過去に接続したことがあるフェムトセル基地局が所定の範囲内に入った場合に、ＬＴＥシステムを切断して、フェムトセル基地局に対してサーチすることができる。
【０１１２】
また、携帯電話機１は、ＬＴＥシステムのエリアの範囲内であり、かつ過去に接続したことがあるフェムトセル基地局のエリアの範囲内の場合には、ＬＴＥシステムを切断して、フェムトセル基地局に対してサーチを行うので、データ通信及び音声通信を良好に行うことができる。
【０１１３】
［第５実施形態］
以下、本発明の第５実施形態について説明する。なお、本実施形態では、携帯電話機１の機能構成が前述の実施形態と異なる。
【０１１４】
本実施形態の携帯電話機１は、図７に示すように、第１通信制御部４１と、第２通信制御部４２とを備える。
ここで、本実施形態に係る携帯電話機１には、Ａｎｄｒｏｉｄ（登録商標）システムが搭載されていることを想定している。Ａｎｄｒｏｉｄシステムは、Ｌｉｎｕｘ（登録商標）部とＭｏｄｅｍ部により構成されている。Ｌｉｎｕｘ部には、Ｔｅｌｅｐｈｏｎｙ機能部と、ＱＣＲＩＬ機能部とが実装されている。
【０１１５】
ＣＤＭＡシステムでは、Ｌｉｎｕｘ部に実装されているＴｅｌｅｐｈｏｎｙ機能部からの要求にしたがって、Ｍｏｄｅｍ部が通信コネクションを確立する。
【０１１６】
ＬＴＥシステムでは、従来のＣＤＭＡシステム、ＧＳＭ、又はＵＭＴＳ等の２Ｇ／３Ｇ端末とＰＰＰセッションの確立、及びＩＰアドレスの取得のシーケンスが異なっており、Ｍｏｄｅｍ部とＬｉｎｕｘ部とで非同期に通信コネクションの確立処理が行われる。
【０１１７】
Ｔｅｌｅｐｈｏｎｙ機能部は、第１通信制御部４１に対応する。ＱＣＲＩＬ機能部は、第２通信制御部４２に対応する。
第２通信制御部４２は、通信システムをサーチする際に、第１通信システムを優先してサーチを開始する。第１通信システムとは、ＬＴＥシステムを意味している。
【０１１８】
第１通信制御部４１は、サーチの要求が発生した場合、サーチの対象から第１通信システムを除外して、他の通信システムのサーチを開始するように第２通信制御部４２を制御する。他の通信システムとは、ＬＴＥシステム以外の通信システムであり、例えば、フェムトセルに対応する通信システム等である。
【０１１９】
よって、携帯電話機１は、サーチの要求が発生した場合には、優先順位が第１位の第１通信システムを除外して、他の通信システムのサーチを行うので、優先順位が上位の通信システムのエリア内であって、かつ優先順位が下位の通信システムのエリア内でもある場合であっても、優先順位が下位の通信システムで通信の待ち受けを行うことができる。
【０１２０】
携帯電話機１は、図１及び図７に示すように、操作部１１を備える。
第１通信制御部４１は、操作部１１の操作に起因してサーチの要求が発生した場合、サーチの対象から第１通信システムを除外して、他の通信システムのサーチを開始するように第２通信制御部４２を制御する。
【０１２１】
具体的には、携帯電話機１は、通信システムのサーチを行うタイミングを操作部１１の操作によって決定する機能を有している。ユーザは、操作部１１を操作して、当該機能を起動させる。
【０１２２】
これは、ユーザが現在、優先順位が上位の通信システムのエリア内であって、かつ優先順位が下位の通信システムのエリア内でもある場合において、優先順位が下位の通信システムで通信の待ち受けを希望している状況を想定している。
【０１２３】
よって、携帯電話機１は、ユーザの操作に応じたサーチの要求が発生した場合には、優先順位が第１位の第１通信システムを除外して、他の通信システムのサーチを行うので、優先順位が上位の通信システムのエリア内であって、かつ優先順位が下位の通信システムのエリア内でもある場合であっても、優先順位が下位の通信システムで通信の待ち受けを行うことができる。
【０１２４】
第２通信制御部４２は、サーチを開始した結果、第２通信システムによって通信の待ち受けを行っている場合、サーチの対象から第１通信システムを除外している状態を維持する構成でもよい。
【０１２５】
これは、ユーザが第１通信システムではなく、第２通信システムで通信の待ち受けを希望している状況を想定しており、できる限り、第２通信システムで通信の待ち受けを行わせるためである。
【０１２６】
よって、携帯電話機１は、ユーザの操作に応じたサーチの要求が発生し、第２通信システムで通信の待ち受けを行っている場合は、サーチの対象から第１通信システムを除外し続けるので、再サーチを行う場合にも、優先順位が上位の通信システムのエリア内であって、かつ優先順位が下位の通信システムのエリア内でもある場合であっても、優先順位が下位の通信システムで通信の待ち受けを行うことができる。
【０１２７】
第２通信システムは、例えば、マクロセル基地局よりもカバーエリアが小さい基地局（例えば、フェムトセル基地局）に対応する通信システム（以下、フェムトセルに対応する通信システム）である。ここで、第２通信システムに対応する通信方式は、例えば、ＣＤＭＡ２０００＿１ｘ方式又はＵＭＴＳ方式である。
マクロセル基地局同士の境界領域やビルの奥、地下では電波強度が微弱となり通信しづらい場所が生まれる。フェムトセル基地局は、このような場所に配置される。
【０１２８】
例えば、優先順位が第１位の通信システム（例えば、ＬＴＥシステム）、及び第２位の通信システム（例えば、フェムトセルに対応する通信システム）のエリア内であって、第１位の通信システムの電波強度が微弱であり、第２位の通信システムの電波強度が強い場合を考える。
【０１２９】
通常の通信機器は、電波強度が微弱でも、通信が可能であれば、優先順位が第１位の通信システム（例えば、ＬＴＥシステム）により通信の待ち受けを行ってしまう。
本実施形態に係る携帯電話機１は、ユーザの操作に応じたサーチが要求された場合、優先順位が第１位の第１通信システムのサーチを行わないので、第２通信システムのサーチを実行する。その結果、携帯電話機１は、電波強度の強い第２通信システムにより通信の待ち受けを行うことができる。
【０１３０】
第１通信制御部４１は、第２通信制御部４２によりフェムトセルに対応する通信システム以外の通信システムで通信の待ち受けを行っている場合、サーチの対象に第１通信システムが含まれるように第２通信制御部４２を制御する構成でもよい。
【０１３１】
これは、携帯電話機１がサーチの対象から第１通信システムを除外して、サーチを行ったが、第２通信システムを補足することができなかった場合を想定している。
このような場合には、携帯電話機１は、通常通り、第１通信システムを第１位の通信システムとして設定を元に戻すことにより、第１通信システムによって、通信の待ち受けをできるようにする。
【０１３２】
このように構成されることにより、携帯電話機１は、ユーザの操作に応じたサーチを行い、フェムトセルに対応する通信システム以外の通信システムで通信の待ち受けを行っている場合、サーチの対象に第１通信システム（ＬＴＥシステム）が含まれるように第２通信制御部４２を制御するので、フェムトセルに対応する通信システムを利用できないときには、ＬＴＥシステムの利用を図ることができる。
【０１３３】
第１通信制御部４１は、サーチを開始した結果、どの通信システムに対しても通信の待ち受けができずにパワーセーブ状態に移行した場合、サーチの対象に第１通信システムが含まれるように第２通信制御部４２を制御する構成でもよい。
【０１３４】
これは、携帯電話機１がサーチの対象から第１通信システムを除外して、サーチを行ったが、第２通信システムを含めて、すべての通信システムを補足することができなかった場合を想定している。
このような場合には、携帯電話機１は、通常通り、第１通信システムを第１位の通信システムとして設定を元に戻すことにより、第１通信システムによって、通信の待ち受けをできるようにする。
【０１３５】
このように構成されることにより、携帯電話機１は、ユーザの操作に応じたサーチを行い、フェムトセルに対応する通信システムを含めてすべての通信システムを補足できなかった場合、サーチの対象に第１通信システム（ＬＴＥシステム）が含まれるように第２通信制御部４２を制御するので、ＬＴＥシステムの利用を図ることができる。
【０１３６】
第１通信制御部４１は、サーチの対象に第１通信システムが含まれるように第２通信制御部４２を制御した後、第１通信システムからサーチを開始するように第２通信制御部４２を制御する構成でもよい。
【０１３７】
このような構成によれば、例えば、携帯電話機１は、ユーザの操作に応じたサーチを行い、フェムトセルに対応する通信システム以外の通信システムで通信の待ち受けを行っている場合において、サーチの対象に第１通信システム（ＬＴＥシステム）が含まれるように設定を変更すると、第１通信システムからサーチを開始するので、積極的にＬＴＥシステムの利用を図ることができる。
【０１３８】
携帯電話機１は、図７に示すように、設定部４３を備える。
第１通信制御部４１は、設定部４３により第１通信システムがサーチの対象に含まれるように設定されていることを条件として、サーチの対象に第１通信システムが含まれるように第２通信制御部４２を制御する。
【０１３９】
設定部４３は、ユーザの操作にしたがって、ＬＴＥシステムの利用をＯＮ（有効）にするか、又はＯＦＦ（無効）にするかの設定情報を有している。本実施形態では、ＬＴＥシステムの利用がＯＮ（有効）になっているものとする。
なお、設定部４３により第１通信システムがサーチの対象に含まれるように設定されている、とは、ＬＴＥシステムの利用がＯＮ（有効）に設定されていることを意味している。
【０１４０】
よって、携帯電話機１は、ユーザの操作によって、ＬＴＥシステムの利用がＯＮ（有効）に設定されていることを条件にして、一旦、サーチの対象から除外した第１通信システムをサーチの対象に含まれるようにするので、ユーザの意思を反映しながら、一定条件下で、優先順位が下位の通信システムで通信の待ち受けを行うことができる。
【０１４１】
＜実施例＞
ここで、携帯電話機１がユーザによる操作でフェムトセルに対応する通信システムに待ち受けるときの処理について説明する。
ユーザによる操作でフェムトセルに対応する通信システムのスキャンを行う場合、携帯電話機１は、ＬＴＥシステムをＤｉｓａｂｌｅにする。スキャン完了後、フェムトセルに対応する通信システムの待ち受けを行うか、パワーセーブ又は国内公衆網の待ち受けを行うか否かに応じて、携帯電話機１は、ＬＴＥシステムをＥｎａｂｌｅ又はＤｉｓａｂｌｅにする。ＬＴＥシステムをＥｎａｂｌｅにするとは、ＬＴＥシステムをサーチの対象に含めることを意味し、ＬＴＥシステムをＤｉｓａｂｌｅにするとは、ＬＴＥシステムをサーチの対象から除外することを意味する。
また、国内公衆網とは、フェムトセルに対応する通信システム以外の通信システムであり、例えば、マクロセル基地局等のフェムトセル基地局よりカバーエリアの広い基地局で構成される通信システム（ＣＤＭＡ２０００＿１ｘ−ＥＶＤＯ、ＧＳＭ等）である。
【０１４２】
具体的には、携帯電話機１は、フェムトセルに対応する通信システムの待ち受けを行った場合、ＬＴＥシステムをＤｉｓａｂｌｅにする。パワーセーブ又は国内公衆網の待ち受けを行った場合、携帯電話機１は、原則的には、ＬＴＥシステムをＥｎａｂｌｅにするが、携帯電話機１の設定を優先するため、設定によりＬＴＥシステムがＯＦＦ（無効）になっている場合には、ＬＴＥシステムをＥｎａｂｌｅにしない。
【０１４３】
ここで、ユーザの操作に応じてフェムトセルに対応する通信システムの待ち受けを行った場合において、携帯電話機１がＬＴＥシステムの設定を変更するかどうかを決定する際に参照されるテーブルの模式図を図８に示す。
携帯電話機１は、図８に示すように、現在の待ち受け状態がフェムトセルに対応する通信システム又は海外公衆網圏内の場合であって、設定部による設定がＬＴＥ＿ＯＮ（有効）になっており、かつＬＴＥシステムがＥｎａｂｌｅになっている場合には、ＬＴＥシステムをＤｉｓａｂｌｅに設定する。つまり、ＬＴＥシステムを利用できない状態に設定を変更する。
【０１４４】
また、携帯電話機１は、図８に示すように、現在の待ち受け状態が国内公衆網圏内又はパワーセーブ状態の場合であって、設定部による設定がＬＴＥ＿ＯＮ（有効）になっており、かつＬＴＥシステムがＤｉｓａｂｌｅになっている場合には、ＬＴＥシステムをＥｎａｂｌｅに設定する。つまり、ＬＴＥシステムを利用できる状態に設定を変更する。なお、携帯電話機１は、その他の状態の場合には、設定の変更を行わない。
【０１４５】
また、ユーザの操作に応じてフェムトセルに対応する通信システムの待ち受けを行った場合において、携帯電話機１が通信システムの再起動（リスタート）を行うかどうかを決定する際に参照されるテーブルの模式図を図９に示す。携帯電話機１は、通信システムの再起動を行う際に、通信の待ち受けを行っている通信システムがある場合には、一旦、切断状態にして、優先順位の高い通信システムからスキャンを開始する。
【０１４６】
携帯電話機１は、図９に示すように、現在の待ち受け状態が国内公衆網圏内又はパワーセーブ状態の場合であって、設定部による設定がＬＴＥ＿ＯＮ（有効）になっており、かつＬＴＥシステムがＤｉｓａｂｌｅになっている場合には、通信システムの再起動を行う。なお、携帯電話機１は、その他の状態の場合には、通信システムの再起動を行わない。
【０１４７】
つぎに、携帯電話機１がユーザの操作に応じてフェムトセルに対応する通信システムのスキャンを行い、フェムトセルに対応する通信システムの待ち受けを行った場合のシーケンスについて、図１０を参照しながら説明する。
【０１４８】
ステップＳＴ１０１において、第１通信制御部４１は、ユーザの操作に応じてフェムトセルに対応する通信システムのスキャン開始の指示を受け付ける。
【０１４９】
ステップＳＴ１０２において、第１通信制御部４１は、ＬＴＥシステムがＤｉｓａｂｌｅになっているかどうかを第２通信制御部４２に問い合わせる。
【０１５０】
ステップＳＴ１０３において、第２通信制御部４２は、ステップＳＴ１０２による問い合わせに応じて、ＬＴＥシステムがＤｉｓａｂｌｅかＥｎａｂｌｅかを通知する。本実施例では、第２通信制御部４２は、ＬＴＥシステムがＥｎａｂｌｅであると通知する。
【０１５１】
ステップＳＴ１０４において、第１通信制御部４１は、ＬＴＥシステムをＤｉｓａｂｌｅにするように第２通信制御部４２に要求する。第２通信制御部４２は、当該要求に応じて、ＬＴＥシステムがＤｉｓａｂｌｅになるように設定を変更する。
【０１５２】
ステップＳＴ１０５において、第１通信制御部４１は、通信システムの再起動（リスタート）を行うように第２通信制御部４２を制御する。具体的には、第１通信制御部４１は、第２通信制御部４２に「ＱＣＲＩＬ＿ＥＶＴ＿Ｘ＿ＲＥＳＴＡＲＴ＿ＰＲＯＴＯＣＯＬ」を送信し、通信システムの再起動を要求する。モデム側は、ＬＴＥシステムがＤｉｓａｂｌｅなのでフェムトセルに対応する通信システムからスキャンを開始する。
【０１５３】
ステップＳＴ１０６において、第２通信制御部４２は、モデム側から通知された情報を第１通信制御部４１に送信する。
【０１５４】
ステップＳＴ１０７において、第２通信制御部４２は、モデム側から通信システムの圏内に入った旨の情報を受け取った場合、その旨を第１通信制御部４１に通知する。
【０１５５】
ステップＳＴ１０８において、第１通信制御部４１は、プロトコル状態の取得を行う。具体的には、第１通信制御部４１は、第２通信制御部４２に「ＲＩＬ＿ＲＥＱＵＥＳＴ＿ＲＥＧＩＳＴＲＡＴＩＯＮ＿ＳＴＡＴＥ」を送信し、現在、モデム側で待ち受けを行っている通信システムの情報を要求する。
【０１５６】
ステップＳＴ１０９において、第２通信制御部４２は、モデム側から通知された情報を第１通信制御部４１に送信する。具体的には、第２通信制御部４２は、第１通信制御部４１に「ＲＩＬ＿Ｅ＿ＳＵＣＣＥＳＳ」を送信する。
【０１５７】
ステップＳＴ１１０において、第１通信制御部４１は、ステップＳＴ１０９により受信したプロトコル情報に基づいて、モデム側で待ち受けを行っている通信システムの種別を判断する。本実施例においては、第１通信制御部４１は、プロトコル情報に含まれているＳＩＤ（Ｓｅｃｔｏｒ  ＩＤ）とＮＩＤ（Ｎｅｔｗｏｒｋ  ＩＤ）とに基づいて、フェムトセルに対応する通信システムであると判断する。その場合、第１通信制御部４１は、フェムトセルに対応する通信システムの待ち受けを維持する。
【０１５８】
よって、携帯電話機１は、ユーザの操作に応じたサーチの要求が発生した場合には、優先順位が第１位の第１通信システムであるＬＴＥシステムを除外して、他の通信システムのサーチを行うので、優先順位が上位の通信システムのエリア内であって、かつ優先順位が下位の通信システムのエリア内でもある場合であっても、優先順位が下位の通信システム（例えば、フェムトセルに対応する通信システム）で通信の待ち受けを行うことができる。
【０１５９】
つぎに、携帯電話機１がユーザの操作に応じてフェムトセルに対応する通信システムのスキャンを行い、国内公衆網圏内で待ち受けを行った場合のシーケンスについて、図１１を参照しながら説明する。
【０１６０】
ステップＳＴ１１１において、第１通信制御部４１は、ユーザの操作に応じてフェムトセルに対応する通信システムのスキャン開始の指示を受け付ける。
【０１６１】
ステップＳＴ１１２において、第１通信制御部４１は、ＬＴＥシステムがＤｉｓａｂｌｅになっているかどうかを第２通信制御部４２に問い合わせる。
【０１６２】
ステップＳＴ１１３において、第２通信制御部４２は、ステップＳＴ１１２による問い合わせに応じて、ＬＴＥシステムがＤｉｓａｂｌｅかＥｎａｂｌｅかを通知する。本実施例では、第２通信制御部４２は、ＬＴＥシステムがＥｎａｂｌｅであると通知する。
【０１６３】
ステップＳＴ１１４において、第１通信制御部４１は、ＬＴＥシステムをＤｉｓａｂｌｅにするように第２通信制御部４２に要求する。第２通信制御部４２は、当該要求に応じて、ＬＴＥシステムがＤｉｓａｂｌｅになるように設定を変更する。
【０１６４】
ステップＳＴ１１５において、第１通信制御部４１は、通信システムの再起動（リスタート）を行うように第２通信制御部４２を制御する。具体的には、第１通信制御部４１は、第２通信制御部４２に「ＱＣＲＩＬ＿ＥＶＴ＿Ｘ＿ＲＥＳＴＡＲＴ＿ＰＲＯＴＯＣＯＬ」を送信し、通信システムの再起動を要求する。モデム側は、ＬＴＥシステムがＤｉｓａｂｌｅなのでフェムトセルに対応する通信システムからスキャンを開始する。
【０１６５】
ステップＳＴ１１６において、第２通信制御部４２は、モデム側から通知された情報を第１通信制御部４１に送信する。具体的には、第２通信制御部４２は、第１通信制御部４１に「ＲＩＬ＿Ｅ＿ＳＵＣＣＥＳＳ」を送信する。
【０１６６】
ステップＳＴ１１７において、第２通信制御部４２は、モデム側から通信システムの圏内に入った旨の情報を受け取った場合、その旨を第１通信制御部４１に通知する。
【０１６７】
ステップＳＴ１１８において、第１通信制御部４１は、プロトコル状態の取得を行う。具体的には、第１通信制御部４１は、第２通信制御部４２に「ＲＩＬ＿ＲＥＱＵＥＳＴ＿ＲＥＧＩＳＴＲＡＴＩＯＮ＿ＳＴＡＴＥ」を送信し、現在、モデム側で待ち受けを行っている通信システムの情報を要求する。
【０１６８】
ステップＳＴ１１９において、第２通信制御部４２は、モデム側から通知された情報を第１通信制御部４１に送信する。具体的には、第２通信制御部４２は、第１通信制御部４１に「ＲＩＬ＿Ｅ＿ＳＵＣＣＥＳＳ」を送信する。
【０１６９】
ステップＳＴ１２０において、第１通信制御部４１は、ステップＳＴ１１９により受信したプロトコル情報に基づいて、モデム側で待ち受けを行っている通信システムの種別を判断する。本実施例においては、第１通信制御部４１は、プロトコル情報に含まれているＳＩＤとＮＩＤとに基づいて、国内公衆網圏内であると判断する。
【０１７０】
ステップＳＴ１２１において、第１通信制御部４１は、設定部４３（Ｓｅｔｔｉｎｇ）に設定されている設定情報の取得を要求する。
【０１７１】
ステップＳＴ１２２において、設定部４３は、設定情報を第１通信制御部４１に送信する。設定部４３は、ユーザの操作にしたがって、ＬＴＥシステムの利用をＯＮ（有効）にするか、又はＯＦＦ（無効）にするかの設定情報を有している。本実施例では、ＬＴＥシステムの利用がＯＮ（有効）になっているものとする。
【０１７２】
ステップＳＴ１２３において、第１通信制御部４１は、ＬＴＥシステムをＤｉｓａｂｌｅからＥｎａｂｌｅにするように第２通信制御部４２に要求する。第２通信制御部４２は、当該要求に応じて、ＬＴＥシステムがＥｎａｂｌｅになるように設定を変更する。
【０１７３】
ステップＳＴ１２４において、第１通信制御部４１は、通信システムの再起動（リスタート）を行うように第２通信制御部４２を制御する。具体的には、第１通信制御部４１は、第２通信制御部４２に「ＱＣＲＩＬ＿ＥＶＴ＿Ｘ＿ＲＥＳＴＡＲＴ＿ＰＲＯＴＯＣＯＬ」を送信し、通信システムの再起動を要求する。モデム側は、ＬＴＥシステムからスキャンを開始する。
【０１７４】
ステップＳＴ１２５において、第２通信制御部４２は、モデム側から通知された情報を第１通信制御部４１に送信する。具体的には、第２通信制御部４２は、第１通信制御部４１に「ＲＩＬ＿Ｅ＿ＳＵＣＣＥＳＳ」を送信する。
【０１７５】
このようにして、携帯電話機１は、フェムトセルに対応する通信システムではない網（国内公衆網）を利用して通信の待ち受けを行っている場合には、ＬＴＥシステムがスキャンの対象に含まれるように設定を変更し、ＬＴＥシステムを優先してスキャンを行うので、ＬＴＥシステムを有効に活用することができる。
なお、本実施形態におけるスキャンは、サーチ、捕捉試行と相互に言い換えてもよい。
【０１７６】
［第６実施形態］
以下、本発明の第６実施形態について説明する。なお、本実施形態では、携帯電話機１の機能構成が前述の実施形態と異なる。
【０１７７】
本実施形態の携帯電話機１は、図１２に示すように、第１通信制御部４１と、第２通信制御部４２とを備える。
ここで、本実施形態に係る携帯電話機１には、Ａｎｄｒｏｉｄシステムが搭載されていることを想定している。Ａｎｄｒｏｉｄシステムは、Ｌｉｎｕｘ部とＭｏｄｅｍ部により構成されている。Ｌｉｎｕｘ部には、Ｔｅｌｅｐｈｏｎｙ機能部と、ＱＣＲＩＬ機能部とが実装されている。
【０１７８】
ＣＤＭＡシステムでは、Ｌｉｎｕｘ部に実装されているＴｅｌｅｐｈｏｎｙ機能部からの要求にしたがって、Ｍｏｄｅｍ部が通信コネクションを確立する。
【０１７９】
ＬＴＥシステムでは、従来のＣＤＭＡシステム、ＧＳＭ、又はＵＭＴＳ等の２Ｇ／３Ｇ端末とＰＰＰセッションの確立、及びＩＰアドレスの取得のシーケンスが異なっており、Ｍｏｄｅｍ部とＬｉｎｕｘ部とで非同期に通信コネクションの確立処理が行われる。
【０１８０】
Ｔｅｌｅｐｈｏｎｙ機能部は、第１通信制御部４１に対応する。ＱＣＲＩＬ機能部は、第２通信制御部４２に対応する。
第２通信制御部４２は、通信システムをサーチする際に、第１通信システムを優先してサーチを開始する。第１通信システムは、例えば、ＬＴＥ方式の通信システム（ＬＴＥシステム）である。
【０１８１】
第１通信制御部４１は、サーチの結果、第２通信システムによって通信の待ち受けを行っている場合には、次回のサーチの対象から第１通信システムを除外するように第２通信制御部４２を制御する。
【０１８２】
このようにして、携帯電話機１は、優先順位が高い第１通信システムを含めてサーチを行った結果、第１通信システムを捕捉できず、第２通信システムによって通信の待ち受けを行った場合には、次回のサーチの対象から第１通信システムを除外するので、無駄なサーチを抑制し、効率的に優先順位が下位の通信システムで通信の待ち受けを行うことができる。
【０１８３】
第１通信制御部４１は、サーチの対象から第１通信システムを除外するように第２通信制御部４２を制御した後、圏外状態、又は第３通信システムによって通信の待ち受けを行っている場合には、次回のサーチの対象に第１通信システムが含まれるように第２通信制御部４２を制御する構成でもよい。
【０１８４】
なお、第２通信システムは、マクロセル基地局よりもカバーエリアが小さい基地局で構成される通信システムであってもよい。例えば、第２通信システムは、フェムトセル基地局で構成される通信システム（フェムトセルに対応する通信システム）である。なお、構成される基地局は、フェムトセルに限られず、ピコセル又はマイクロセルであってもよい。
また、第３通信システムは、マクロセル基地局で構成される通信システムであってもよい。
【０１８５】
携帯電話機１は、優先順位が第１位の第１通信システムを除外してサーチを行い、優先順位が第２位の第２通信システムを捕捉して、第２通信システムにより通信の待ち受けを行うことを想定していた。ところが、携帯電話機１は、第２通信システムのサーチに失敗し、圏外状態、又は第３通信システムによって通信の待ち受けを行った。
このような状況において、携帯電話機１は、次回のサーチの対象に第１通信システムが含まれるようにするので、想定が外れた場合には、第１通信システムのサーチを行うので、通常通り、優先順位が第１位の通信システムにより通信の待ち受けを行うことができる。
【０１８６】
携帯電話機１は、図１２に示すように、設定部４３を備える。
第１通信制御部４１は、設定部４３により第１通信システムがサーチの対象に含まれるように設定されていることを条件として、サーチの対象に第１通信システムが含まれるように第２通信制御部４２を制御する構成でもよい。
【０１８７】
設定部４３は、ユーザの操作にしたがって、ＬＴＥシステムの利用をＯＮ（有効）にするか、又はＯＦＦ（無効）にするかの設定情報を有している。
なお、設定部４３により第１通信システムがサーチの対象に含まれるように設定されている、とは、ＬＴＥシステムの利用がＯＮ（有効）に設定されていることを意味している。
【０１８８】
よって、携帯電話機１は、ユーザの操作によって、ＬＴＥシステムの利用がＯＮ（有効）に設定されていることを条件にして、一旦、サーチの対象から除外した第１通信システムをサーチの対象に含むようにするので、ユーザの意思を反映しながら、一定条件下で、優先順位が下位の通信システムで通信の待ち受けを行うことができる。
【０１８９】
第１通信制御部４１は、第２通信制御部４２によりフェムトセルに対応する通信システム以外の通信システムで通信の待ち受けを行っている場合、サーチの対象に第１通信システムが含まれるように第２通信制御部４２を制御する構成でもよい。
【０１９０】
これは、携帯電話機１がサーチの対象から第１通信システムを除外して、サーチを行ったが、第２通信システムを補足することができなかった場合を想定している。
このような場合には、携帯電話機１は、通常通り、第１通信システムを第１位の通信システムとして設定を元に戻すことにより、第１通信システムによって、通信の待ち受けをできるようにする。
【０１９１】
このように構成されることにより、携帯電話機１は、ユーザの操作に応じたサーチを行い、フェムトセルに対応する通信システム以外の通信システムで通信の待ち受けを行っている場合、サーチの対象に第１通信システム（ＬＴＥシステム）が含まれるように第２通信制御部４２を制御するので、フェムトセルに対応する通信システムを利用できないときには、ＬＴＥシステムの利用を図ることができる。
【０１９２】
第１通信制御部４１は、サーチの結果、どの通信システムに対しても通信の待ち受けができずにパワーセーブ状態に移行した場合、サーチの対象に第１通信システムが含まれるように第２通信制御部４２を制御する構成でもよい。
【０１９３】
これは、携帯電話機１がサーチの対象から第１通信システムを除外して、サーチを行ったが、第２通信システムを含めて、すべての通信システムを補足することができなかった場合を想定している。
このような場合には、携帯電話機１は、通常通り、第１通信システムを第１位の通信システムとして設定を元に戻すことにより、第１通信システムによって、通信の待ち受けをできるようにする。
【０１９４】
このように構成されることにより、携帯電話機１は、ユーザの操作に応じたサーチを行い、フェムトセルに対応する通信システムを含めてすべての通信システムを補足できなかった場合、サーチの対象に第１通信システム（ＬＴＥシステム）が含まれるように第２通信制御部４２を制御するので、ＬＴＥシステムの利用を図ることができる。
【０１９５】
第１通信制御部４１は、サーチの対象に第１通信システムが含まれるように第２通信制御部４２を制御した後、第１通信システムからサーチを開始するように第２通信制御部４２を制御する構成でもよい。
【０１９６】
このような構成によれば、例えば、携帯電話機１は、ユーザの操作に応じたサーチを行い、フェムトセルに対応する通信システム以外の通信システムで通信の待ち受けを行っている場合において、サーチの対象に第１通信システム（ＬＴＥシステム）が含まれるように設定を変更すると、第１通信システムからサーチを開始するので、積極的にＬＴＥシステムの利用を図ることができる。
【０１９７】
＜実施例＞
ここで、携帯電話機１がＬＴＥシステムの圏外時にフェムトセルに対応する通信システムを待ち受けるときの処理について説明する。
携帯電話機１は、ＬＴＥシステムの圏外時に自動でフェムトセルに対応する通信システムの待ち受けを行った場合、ＬＴＥシステムをＤｉｓａｂｌｅにする。また、携帯電話機１は、フェムトセルに対応する通信システムを切断したとき、パワーセーブのとき、又は公衆網待ち受けのときには、ＬＴＥシステムをＥｎａｂｌｅにする。ＬＴＥシステムをＥｎａｂｌｅにするとは、ＬＴＥシステムをサーチの対象に含めることを意味し、ＬＴＥシステムをＤｉｓａｂｌｅにするとは、ＬＴＥシステムをサーチの対象から除外することを意味する。
なお、携帯電話機１の設定を優先するため、設定によりＬＴＥシステムがＯＦＦ（無効）になっている場合には、携帯電話機１はＬＴＥシステムをＥｎａｂｌｅにしない。
【０１９８】
また、携帯電話機１がＬＴＥシステムの圏外時に自動でフェムトセルに対応する通信システムの待ち受けを行った場合、ＬＴＥシステムの設定を変更するかどうかを決定する際に参照されるテーブルの模式図を図１３に示す。
携帯電話機１は、図１３に示すように、現在の待ち受け状態がフェムトセルに対応する通信システムであって、設定部による設定がＬＴＥ＿ＯＮ（有効）になっており、かつＬＴＥシステムがＥｎａｂｌｅになっている場合には、ＬＴＥシステムをＤｉｓａｂｌｅに設定する。つまり、携帯電話機１は、ＬＴＥシステムを利用できない状態に設定を変更する。
【０１９９】
また、携帯電話機１は、図１３に示すように、現在の待ち受け状態が国内公衆網圏内又はパワーセーブ状態の場合であって、設定部による設定がＬＴＥ＿ＯＮ（有効）になっており、かつＬＴＥシステムがＤｉｓａｂｌｅになっている場合には、ＬＴＥシステムをＥｎａｂｌｅに設定する。つまり、携帯電話機１は、ＬＴＥシステムを利用できる状態に設定を変更する。なお、携帯電話機１は、その他の状態の場合には、設定の変更を行わない。
【０２００】
また、携帯電話機１が通信システムの再起動（リスタート）を行うかどうかを決定する際に参照されるテーブルの模式図を図１４に示す。携帯電話機１は、通信システムの再起動を行う場合には、通信の待ち受けを行っている通信システムがある場合には、一旦、切断状態にして、優先順位の高い通信システムからスキャンを開始する。
【０２０１】
携帯電話機１は、図１４に示すように、現在の待ち受け状態が国内公衆網圏内又はパワーセーブ状態の場合であって、設定部による設定がＬＴＥ＿ＯＮ（有効）になっており、かつＬＴＥシステムがＤｉｓａｂｌｅになっている場合には、通信システムの再起動を行う。なお、携帯電話機１は、その他の状態の場合には、通信システムの再起動を行わない。
【０２０２】
つぎに、携帯電話機１がＬＴＥシステムの圏外時にフェムトセルに対応する通信システムの待ち受けを行った場合のシーケンスについて、図１５を参照しながら説明する。
【０２０３】
ステップＳＴ２０１において、第２通信制御部４２は、モデム側から通信システムの圏内に入った旨の情報を受け取った場合、その旨を第１通信制御部４１に通知する。
【０２０４】
ステップＳＴ２０２において、第１通信制御部４１は、プロトコル状態の取得を行う。具体的には、第１通信制御部４１は、第２通信制御部４２に「ＲＩＬ＿ＲＥＱＵＥＳＴ＿ＲＥＧＩＳＴＲＡＴＩＯＮ＿ＳＴＡＴＥ」を送信し、現在、モデム側で待ち受けを行っている通信システムの情報を要求する。
【０２０５】
ステップＳＴ２０３において、第２通信制御部４２は、モデム側から通知された情報を第１通信制御部４１に送信する。具体的には、第２通信制御部４２は、第１通信制御部４１に「ＲＩＬ＿Ｅ＿ＳＵＣＣＥＳＳ」を送信する。
【０２０６】
ステップＳＴ２０４において、第１通信制御部４１は、ステップＳＴ２０３で受信したプロトコル情報に基づいて、モデム側で待ち受けを行っている通信システムの種別を判断する。本実施例においては、第１通信制御部４１は、プロトコル情報に含まれているＳＩＤとＮＩＤとに基づいて、フェムトセルに対応する通信システムあると判断する。
【０２０７】
ステップＳＴ２０５において、第１通信制御部４１は、ＬＴＥシステムがＤｉｓａｂｌｅになっているかどうかを第２通信制御部４２に問い合わせる。
【０２０８】
ステップＳＴ２０６において、第２通信制御部４２は、ステップＳＴ２０５の問い合わせに応じて、ＬＴＥシステムがＤｉｓａｂｌｅかＥｎａｂｌｅかを第１通信制御部４１に通知する。本実施例では、第２通信制御部４２は、ＬＴＥシステムがＥｎａｂｌｅであると通知する。
【０２０９】
ステップＳＴ２０７において、第１通信制御部４１は、ＬＴＥシステムをＤｉｓａｂｌｅにするように第２通信制御部４２に要求する。第２通信制御部４２は、当該要求に応じて、ＬＴＥシステムがＤｉｓａｂｌｅになるように設定を変更する。
【０２１０】
よって、携帯電話機１は、ユーザの操作に応じたサーチの要求が発生した場合には、優先順位が第１位の第１通信システムであるＬＴＥシステムを除外して、他の通信システムのサーチを行うので、優先順位が上位の通信システムのエリア内であって、かつ優先順位が下位の通信システムのエリア内でもある場合であっても、優先順位が下位の通信システム（例えば、フェムトセルに対応する通信システム）で通信の待ち受けを行うことができる。
【０２１１】
つぎに、携帯電話機１が国内公衆網圏内で待ち受けを行った場合のシーケンスについて、図１６を参照しながら説明する。
【０２１２】
ステップＳＴ２１１において、第２通信制御部４２は、モデム側から通信システムの圏内に入った旨の情報を受け取った場合、その旨を第１通信制御部４１に通知する。
【０２１３】
ステップＳＴ２１２において、第１通信制御部４１は、プロトコル状態の取得を行う。具体的には、第１通信制御部４１は、第２通信制御部４２に「ＲＩＬ＿ＲＥＱＵＥＳＴ＿ＲＥＧＩＳＴＲＡＴＩＯＮ＿ＳＴＡＴＥ」を送信し、現在、モデム側で待ち受けを行っている通信システムの情報を要求する。
【０２１４】
ステップＳＴ２１３において、第２通信制御部４２は、モデム側から通知された情報を第１通信制御部４１に送信する。具体的には、第２通信制御部４２は、第１通信制御部４１に「ＲＩＬ＿Ｅ＿ＳＵＣＣＥＳＳ」を送信する。
【０２１５】
ステップＳＴ２１４において、第１通信制御部４１は、ステップＳＴ２１３で受信したプロトコル情報に基づいて、モデム側で待ち受けを行っている通信システムの種別を判断する。本実施例においては、第１通信制御部４１は、プロトコル情報に含まれているＳＩＤとＮＩＤとに基づいて、国内公衆網圏内であると判断する。なお、国内公衆網には、フェムトセルに対応する通信システムは含まれない。
【０２１６】
ステップＳＴ２１５において、第１通信制御部４１は、設定部４３（Ｓｅｔｔｉｎｇ）に設定されている設定情報の取得を要求する。
【０２１７】
ステップＳＴ２１６において、設定部４３は、設定情報を第１通信制御部４１に送信する。設定部４３は、ユーザの操作に従って、ＬＴＥシステムの利用をＯＮ（有効）にするか、又はＯＦＦ（無効）にするかの設定情報を有している。本実施例では、ＬＴＥシステムの利用がＯＮ（有効）になっているものとする。
【０２１８】
ステップＳＴ２１７において、第１通信制御部４１は、ＬＴＥシステムがＤｉｓａｂｌｅになっているかどうかを第２通信制御部４２に問い合わせる。
【０２１９】
ステップＳＴ２１８において、第２通信制御部４２は、ステップＳＴ２１７の問い合わせに応じて、ＬＴＥシステムがＤｉｓａｂｌｅかＥｎａｂｌｅかを第１通信制御部４１に通知する。本実施例では、第２通信制御部４２は、ＬＴＥシステムがＥｎａｂｌｅであると通知する。
【０２２０】
ステップＳＴ２１９において、第１通信制御部４１は、ＬＴＥシステムをＤｉｓａｂｌｅにするように第２通信制御部４２に要求する。第２通信制御部４２は、当該要求に応じて、ＬＴＥシステムがＤｉｓａｂｌｅになるように設定を変更する。
【０２２１】
ステップＳＴ２２０において、第１通信制御部４１は、通信システムの再起動（リスタート）を行うように第２通信制御部４２を制御する。具体的には、第１通信制御部４１は、第２通信制御部４２に「ＱＣＲＩＬ＿ＥＶＴ＿Ｘ＿ＲＥＳＴＡＲＴ＿ＰＲＯＴＯＣＯＬ」を送信し、通信システムの再起動を要求する。モデム側は、ＬＴＥシステムからスキャンを開始する。
【０２２２】
ステップＳＴ２２１において、第２通信制御部４２は、モデム側から通知された情報を第１通信制御部４１に送信する。具体的には、第２通信制御部４２は、第１通信制御部４１に「ＲＩＬ＿Ｅ＿ＳＵＣＣＥＳＳ」を送信する。
【０２２３】
このようにして、携帯電話機１は、フェムトセルに対応する通信システムではない網（国内公衆網）を利用して通信の待ち受けを行っている場合には、ＬＴＥシステムがスキャンの対象に含まれるように設定を変更し、ＬＴＥシステムを優先してスキャンを行うので、ＬＴＥシステムを有効に活用することができる。
【０２２４】
フェムトセルに対応する通信システムとは、高層マンション等のエリア不感地対策として各家庭に小型のセルを設置し、ユーザのＢＢ（Ｂｒｏａｄｂａｎｄ）回線等を使用して音声及びデータ通信を行う通信システムのことである。
【０２２５】
フェムトセルは、家庭や小規模オフィスに設置される超小型基地局によって実現される。超小型基地局は、家庭内の固定電話に繋がっている固定回線（電話回線）、光ファイバー、又はＣＡＴＶ用ケーブル等と接続されて、携帯電話機１が受信できる電波を発する。
【０２２６】
超小型基地局が発する電波は、出力以外は屋外に配置されている通常の外部基地局と同様である。したがって、携帯電話機１は、外部基地局との間で音声及びデータ通信を行う場合と同様の手順で、超小型基地局との間で音声及びデータ通信を行うことができる。
【０２２７】
また、ＣＳＦＢ（Ｃｉｒｃｕｉｔ  Ｓｗｉｔｃｈｅｄ  Ｆａｌｌｂａｃｋ）機能を実現するためには、外部基地局は、ＬＴＥシステムで待ち受け中の携帯電話機１が物理的にＣＤＭＡシステムにおけるどのエリアにいるかを知る必要がある。ＣＳＦＢとは、回線交換フォールバックのことであり、データ通信網（例えば、ＬＴＥシステム）を３Ｇシステム等の回線交換に切り替える仕組みのことである。
【０２２８】
ここで、ＬＴＥシステムで待ち受けを行っている携帯電話機１に対して音声通信の着信があった場合に、ＣＳＦＢによりＣＤＭＡシステムに切り替える際の処理について説明する。
外部基地局は、携帯電話機１に着信があった場合に、ＬＴＥシステムとＣＤＭＡシステムとのエリアのマッピングデータに基づいて、現在、携帯電話機１が属しているＣＤＭＡシステムのエリアを特定し、特定したＣＤＭＡシステムのエリアにＣＳＦＢするようにＬＴＥシステムを利用して携帯電話機１へ通知する。
携帯電話機１は、当該通知に応じて、ＬＴＥシステムからＣＤＭＡシステムに切り替え、外部基地局にレジストレーションを行う。
外部基地局は、当該レジストレーションに応じて、位置登録情報を更新し、携帯電話機１に対してＣＤＭＡシステムにより着信を通知する。
携帯電話機１は、当該通知に応じて、所定の報知を行う。携帯電話機１は、ユーザによる操作に応じて、通話を開始する。
【０２２９】
ところで、高層マンション等のエリア不感地にフェムトセルを設置している場合、公衆網の音声プロトコル（ＣＤＭＡシステム）は、圏外であることが多い。
つまり、このようなエリアにおいて、携帯電話機１がＬＴＥシステムで待ち受けを行っている場合に、上述のようなＣＳＦＢを行おうと試みると、外部基地局は、ＬＴＥシステムとフェムトセルとのマッピングデータを有していないため、ＣＳＦＢが失敗し、携帯電話機１は音声通信の発着信が行えなくなる。
【０２３０】
ここで、携帯電話機１がフェムトセルのエリアに遷移した場合に、ＬＴＥシステムをＯＦＦにし、フェムトセルのエリアの圏外に遷移等した場合に、ユーザによる設定にしたがって、ＬＴＥシステムをＯＮにする処理について、図１７に示すフローチャートを参照しながら説明する。
【０２３１】
ステップＳＴ２３１において、第１通信制御部４１は、現在、フェムトセルに対応する通信システムの待ち受けかどうかを判断する。フェムトセルに対応する通信システムの待ち受けであると判断した場合には、処理はステップＳＴ２３２に進み、フェムトセルに対応する通信システムの待ち受けではないと判断した場合には、処理は終了する。
【０２３２】
ステップＳＴ２３２において、第１通信制御部４１は、ＬＴＥシステムが捕捉対象外になるように制御する。つまり、第１通信制御部４１は、通信システムをサーチする対象にＬＴＥシステムが含まれないように制御する。なお、設定部４３によってＬＴＥシステムの設定がＯＮ（有効）であっても、ＬＴＥシステムの設定を強制的にＯＦＦ（無効）にする。
【０２３３】
ステップＳＴ２３３において、第１通信制御部４１は、パワーセーブモード又は国内公衆網圏内であるかどうかを判断する。パワーセーブモード又は国内公衆網圏内であると判断した場合（ＹＥＳ）には、ステップＳＴ２３４に進み、パワーセーブモード又は国内公衆網圏内ではないと判断した場合（ＮＯ）には、本工程を繰り返す。
【０２３４】
ステップＳＴ２３４において、第１通信制御部４１は、ＬＴＥシステムの設定がＯＮ（有効）であるかどかを判断する。ＬＴＥシステムの設定がＯＮ（有効）であると判断した場合（ＹＥＳ）には、ステップＳＴ２３５に進み、ＬＴＥシステムの設定がＯＮ（有効）ではないと判断した場合（ＮＯ）、すなわち、ＬＴＥシステムの設定がＯＦＦ（無効）の場合には、処理は終了する。
【０２３５】
ステップＳＴ２３５において、第１通信制御部４１は、ＬＴＥシステムが捕捉対象に含まれるように制御する。つまり、第１通信制御部４１は、ステップＳＴ２３２の工程において、強制的にＯＦＦ（無効）にしたＬＴＥシステムの設定を元の状態（ＯＮ（有効）の状態）に戻すように制御する。
【０２３６】
このようにして、携帯電話機１は、フェムトセルのエリアの圏内に入り、フェムトセルに対応する通信システムで待ち受けを行っている場合には、ＬＴＥシステムの設定を強制的にＯＦＦ（無効）にし、フェムトセルのエリアの圏外に移動した場合に、ＬＴＥシステムの設定を設定部４３の設定に従うように制御する。したがって、携帯電話機１は、フェムトセルのエリアの圏内において、ＬＴＥシステムの使用を制限するので、音声通信の発着信を良好に実行することができる。
【０２３７】
また、第１〜第６に係る通信機器は、携帯電話機１には限られない。本発明は、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【０２３８】
また、前述の第１〜第６実施形態では、主に携帯電話機の構成と動作について説明したが、本発明はこれに限られず、各構成要素を備え、一定条件下で、優先順位が下位の通信システムで通信の待ち受けを行うための通信方法、及びプログラムとして構成されてもよい。
【０２３９】
さらに、本発明は、携帯電話機の機能を実現するためのプログラムをコンピュータで読み取り可能な記録媒体に記録して、この記録媒体に記録されたプログラムをコンピュータシステムに読み込ませ、実行することによって実現してもよい。
【０２４０】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２４１】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【０２４２】
［第７実施形態］
本発明の第７実施形態を、図面を参照しつつ詳細に説明する。以下では、通信機器の一例として、スマートフォンについて説明する。
【０２４３】
図１８から図２０を参照しながら、本実施形態に係るスマートフォン１００の外観について説明する。図１８から図２０に示すように、スマートフォン１００は、ハウジング１２０を有する。ハウジング１２０は、フロントフェイス１０１Ａと、バックフェイス１０１Ｂと、サイドフェイス１０１Ｃ１〜１０１Ｃ４とを有する。フロントフェイス１０１Ａは、ハウジング１２０の正面である。バックフェイス１０１Ｂは、ハウジング１２０の背面である。サイドフェイス１０１Ｃ１〜１０１Ｃ４は、フロントフェイス１０１Ａとバックフェイス１０１Ｂとを接続する側面である。以下では、サイドフェイス１０１Ｃ１〜１０１Ｃ４を、どの面であるかを特定することなく、サイドフェイス１０１Ｃと総称することがある。
【０２４４】
スマートフォン１００は、タッチスクリーンディスプレイ１０２と、ボタン１０３Ａ〜１０３Ｃと、照度センサ１０４と、近接センサ１０５と、レシーバ１０７と、マイク１０８と、カメラ１１２とをフロントフェイス１０１Ａに有する。スマートフォン１００は、カメラ１１３をバックフェイス１０１Ｂに有する。スマートフォン１００は、ボタン１０３Ｄ〜１０３Ｆと、外部インタフェース１１４とをサイドフェイス１０１Ｃに有する。以下では、ボタン１０３Ａ〜１０３Ｆを、どのボタンであるかを特定することなく、ボタン１０３と総称することがある。
【０２４５】
タッチスクリーンディスプレイ１０２は、ディスプレイ１０２Ａと、タッチスクリーン１０２Ｂとを有する。ディスプレイ１０２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ１０２Ａは、文字、画像、記号又は図形等を表示する。
【０２４６】
タッチスクリーン１０２Ｂは、タッチスクリーンディスプレイ１０２に対する指、又はスタイラスペン等の接触を検出する。タッチスクリーン１０２Ｂは、複数の指、又はスタイラスペン等がタッチスクリーンディスプレイ１０２に接触した位置を検出することができる。
【０２４７】
タッチスクリーン１０２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン１０２Ｂがタッチスクリーンディスプレイ１０２に対する接触を検出する指、又はスタイラスペン等を単に「指」ということがある。
【０２４８】
スマートフォン１００は、タッチスクリーン１０２Ｂにより検出された接触、接触位置、接触時間又は接触回数に基づいてジェスチャの種別を判別する。ジェスチャは、タッチスクリーンディスプレイ１０２に対して行われる操作である。スマートフォン１００によって判別されるジェスチャには、タッチ、ロングタッチ、リリース、スワイプ、タップ、ダブルタップ、ロングタップ、ドラッグ、フリック、ピンチイン、ピンチアウト等が含まれる。
【０２４９】
タッチは、タッチスクリーンディスプレイ１０２（例えば、表面）に指が接触するジェスチャである。スマートフォン１００は、タッチスクリーンディスプレイ１０２に指が接触するジェスチャをタッチとして判別する。ロングタッチとは、タッチスクリーンディスプレイ１０２に指が一定時間以上接触するジェスチャである。スマートフォン１００は、タッチスクリーンディスプレイ１０２に指が一定時間以上接触するジェスチャをロングタッチとして判別する。
【０２５０】
リリースは、指がタッチスクリーンディスプレイ１０２から離れるジェスチャである。スマートフォン１００は、指がタッチスクリーンディスプレイ１０２から離れるジェスチャをリリースとして判別する。スワイプは、指がタッチスクリーンディスプレイ１０２上に接触したままで移動するジェスチャである。スマートフォン１００は、指がタッチスクリーンディスプレイ１０２上に接触したままで移動するジェスチャをスワイプとして判別する。
【０２５１】
タップは、タッチに続いてリリースをするジェスチャである。スマートフォン１００は、タッチに続いてリリースをするジェスチャをタップとして判別する。ダブルタップは、タッチに続いてリリースをするジェスチャが２回連続するジェスチャである。スマートフォン１００は、タッチに続いてリリースをするジェスチャが２回連続するジェスチャをダブルタップとして判別する。
【０２５２】
ロングタップは、ロングタッチに続いてリリースをするジェスチャである。スマートフォン１００は、ロングタッチに続いてリリースをするジェスチャをロングタップとして判別する。ドラッグは、移動可能なオブジェクトが表示されている領域を始点としてスワイプをするジェスチャである。スマートフォン１００は、移動可能なオブジェクトが表示されている領域を始点としてスワイプをするジェスチャをドラッグとして判別する。
【０２５３】
フリックは、タッチに続いて指が一方方向へ高速で移動しながらリリースするジェスチャである。スマートフォン１００は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【０２５４】
ピンチインは、複数の指が互いに近付く方向にスワイプするジェスチャである。スマートフォン１００は、複数の指が互いに近付く方向にスワイプするジェスチャをピンチインとして判別する。ピンチアウトは、複数の指が互いに遠ざかる方向にスワイプするジェスチャである。スマートフォン１００は、複数の指が互いに遠ざかる方向にスワイプするジェスチャをピンチアウトとして判別する。
【０２５５】
スマートフォン１００は、タッチスクリーン１０２Ｂを介して判別するこれらのジェスチャに従って動作を行う。したがって、利用者にとって直感的で使いやすい操作性が実現される。判別されるジェスチャに従ってスマートフォン１００が行う動作は、タッチスクリーンディスプレイ１０２に表示されている画面に応じて異なる。
【０２５６】
図２１は、スマートフォン１００の構成を示すブロック図である。スマートフォン１００は、タッチスクリーンディスプレイ１０２と、ボタン１０３と、照度センサ１０４と、近接センサ１０５と、通信ユニット１０６と、レシーバ１０７と、マイク１０８と、ストレージ１０９と、コントローラ１１０と、カメラ１１２及び１１３と、外部インタフェース１１４と、加速度センサ１１５と、方位センサ１１６と、回転検出センサ１１７とを有する。
【０２５７】
タッチスクリーンディスプレイ１０２は、上述したように、ディスプレイ１０２Ａと、タッチスクリーン１０２Ｂとを有する。ディスプレイ１０２Ａは、文字、画像、記号、又は図形等を表示する。タッチスクリーン１０２Ｂは、ジェスチャを検出する。
【０２５８】
ボタン１０３は、利用者によって操作される。ボタン１０３は、ボタン１０３Ａ〜ボタン１０３Ｆを有する。コントローラ１１０はボタン１０３と協働することによってボタン１０３に対する操作を検出する。ボタン１０３に対する操作は、例えば、クリック、ダブルクリック、プッシュ、及びマルチプッシュである。
【０２５９】
例えば、ボタン１０３Ａ〜１０３Ｃは、ホームボタン、バックボタン又はメニューボタンである。例えば、ボタン１０３Ｄは、スマートフォン１００のパワーオン／オフボタンである。ボタン１０３Ｄは、スリープ／スリープ解除ボタンを兼ねてもよい。例えば、ボタン１０３Ｅ及び１０３Ｆは、音量ボタンである。
【０２６０】
照度センサ１０４は、照度を検出する。例えば、照度とは、光の強さ、明るさ、輝度等である。照度センサ１０４は、例えば、ディスプレイ１０２Ａの輝度の調整に用いられる。
【０２６１】
近接センサ１０５は、近隣の物体の存在を非接触で検出する。近接センサ１０５は、例えば、タッチスクリーンディスプレイ１０２が顔に近付けられたことを検出する。
【０２６２】
通信ユニット１０６は、無線により通信する。通信ユニット１０６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００（ＣＤＭＡ１ｘ、ＣＤＭＡ１ｘ−ＥＶＤＯ）、ＰＤＣ、ＧＳＭ、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット１０６は、上述した通信規格の１つ又は複数をサポートしていてもよい。
【０２６３】
レシーバ１０７は、コントローラ１１０から送信される音声信号を音声として出力する。マイク１０８は、利用者等の音声を音声信号へ変換してコントローラ１１０へ送信する。なお、スマートフォン１００は、レシーバ１０７に加えて、スピーカをさらに有してもよい。スマートフォン１００は、レシーバ１０７に代えて、スピーカをさらに有してもよい。
【０２６４】
ストレージ１０９は、プログラム及びデータを記憶する。また、ストレージ１０９は、コントローラ１１０の処理結果を一時的に記憶する作業領域としても利用される。ストレージ１０９は、半導体記憶デバイス、及び磁気記憶デバイス等の任意の記憶デバイスを含んでよい。また、ストレージ１０９は、複数の種類の記憶デバイスを含んでよい。また、ストレージ１０９は、メモリカード等の可搬の記憶媒体と、記憶媒体の読み取り装置との組み合わせを含んでよい。
【０２６５】
ストレージ１０９に記憶されるプログラムには、フォアグランド又はバックグランドで実行されるアプリケーションと、アプリケーションの動作を支援する制御プログラムとが含まれる。アプリケーションは、例えば、ディスプレイ１０２Ａに所定の画面を表示させ、タッチスクリーン１０２Ｂによって検出されるジェスチャに応じた処理をコントローラ１１０に実行させる。制御プログラムは、例えば、ＯＳである。アプリケーション及び制御プログラムは、通信ユニット１０６による無線通信又は記憶媒体を介してストレージ１０９にインストールされてもよい。
【０２６６】
ストレージ１０９は、例えば、制御プログラム１０９Ａ、メールアプリケーション１０９Ｂ、ブラウザアプリケーション１０９Ｃ、設定データ１０９Ｚを記憶する。メールアプリケーション１０９Ｂは、電子メールの作成、送信、受信、及び表示等のための電子メール機能を提供する。ブラウザアプリケーション１０９Ｃは、ＷＥＢページを表示するためのＷＥＢブラウジング機能を提供する。テーブル１０９Ｄは、キーアサインテーブル等の各種テーブルが格納されている。配置パターンデータベース１０９Ｅは、ディスプレイ１０２Ａに表示されるアイコン等の配置パターンが格納されている。設定データ１０９Ｚは、スマートフォン１００の動作に関する各種の設定機能を提供する。
【０２６７】
制御プログラム１０９Ａは、スマートフォン１００を稼働させるための各種制御に関する機能を提供する。制御プログラム１０９Ａは、例えば、通信ユニット１０６、レシーバ１０７、及びマイク１０８等を制御することによって、通話を実現させる。制御プログラム１０９Ａが提供する機能には、タッチスクリーン１０２Ｂを介して検出されたジェスチャに応じて、ディスプレイ１０２Ａに表示されている情報を変更する等の各種制御を行う機能が含まれる。なお、制御プログラム１０９Ａが提供する機能は、メールアプリケーション１０９Ｂ等の他のプログラムが提供する機能と組み合わせて利用されることがある。
【０２６８】
コントローラ１１０は、例えば、ＣＰＵ（Ｃｅｎｔｒａｌ  Ｐｒｏｃｅｓｓｉｎｇ  Ｕｎｉｔ）である。コントローラ１１０は、通信ユニット１０６等の他の構成要素が統合されたＳｏＣ（Ｓｙｓｔｅｍ−ｏｎ−ａ−ｃｈｉｐ）等の集積回路であってもよい。コントローラ１１０は、スマートフォン１００の動作を統括的に制御して各種の機能を実現する。
【０２６９】
具体的には、コントローラ１１０は、ストレージ１０９に記憶されているデータを必要に応じて参照しつつ、ストレージ１０９に記憶されているプログラムに含まれる命令を実行して、ディスプレイ１０２Ａ及び通信ユニット１０６等を制御することによって各種機能を実現する。コントローラ１１０は、タッチスクリーン１０２Ｂ、ボタン１０３、加速度センサ１１５等の各種検出部の検出結果に応じて、制御を変更することもある。
【０２７０】
コントローラ１１０は、例えば、制御プログラム１０９Ａを実行することにより、タッチスクリーン１０２Ｂを介して検出されたジェスチャに応じて、ディスプレイ１０２Ａに表示されている情報を変更する等の各種制御を実行する。
【０２７１】
カメラ１１２は、フロントフェイス１０１Ａに面している物体を撮影するインカメラである。カメラ１１３は、バックフェイス１０１Ｂに面している物体を撮影するアウトカメラである。
【０２７２】
外部インタフェース１１４は、他の装置が接続される端子である。外部インタフェース１１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インタフェース１１４は、Ｄｏｃｋコネクタのような専用に設計された端子でもよい。外部インタフェース１１４に接続される装置には、例えば、外部ストレージ、スピーカ、通信装置が含まれる。
【０２７３】
加速度センサ１１５は、スマートフォン１００に働く加速度の方向及び大きさを検出する。方位センサ１１６は、地磁気の向きを検出する。回転検出センサ１１７は、スマートフォン１００の回転を検出する。加速度センサ１１５、方位センサ１１６及び回転検出センサ１１７の検出結果は、スマートフォン１００の位置及び姿勢の変化を検出するために、組み合わせて利用される。
【０２７４】
以下、スマートフォン１００は、ＬＴＥシステム及びＣＤＭＡシステムに対応しているものとする。ＬＴＥシステム（第１の通信システム）は、回線交換方式による音声通話に非対応の通信システムであり、ＣＤＭＡシステム（第２の通信システム）は、回線交換方式による音声通話に対応している通信システムである。
スマートフォン１００は、ＬＴＥシステムで通信の待ち受け中に音声発信又は着信があった場合には、ＣＳフォールバック機能によって、ＣＤＭＡシステムへハンドオーバするものとする。なお、ここでいうＣＤＭＡシステムとは、ＣＤＭＡ１ｘシステムのことを指してもよい。
【０２７５】
なお、ＣＤＭＡシステムにおける待ち受け先は、ＣＳフォールバックによるハンドオーバ先となり得る通常のセル（マクロセル、マイクロセル、ナノセル又はピコセル等）に加えて、フェムトセルと呼ばれる小型セルを含む。
【０２７６】
フェムトセルは、通信可能なエリアが通常のマクロセルやマイクロセル等の基地局より狭い（例えば、半径数十ｍまで）。このフェムトセルを用いた通信システム（フェムトセルに対応する通信システムシステム）は、高層マンションやショッピングセンタ等における電波の不感地対策として、複数の小型基地局を設置し、ブロードバンド回線等を使用して音声又はデータ通信を行うシステムある。
フェムトセルの基地局は、電話回線、光ファイバー又はＣＡＴＶ用ケーブル等の固定回線経由でインターネットと接続し、セルエリア内の通信機器が捕捉できる電波を発する。発する電波は、出力強度以外は基本的には通常のマクロセル等を構成する基地局と同様であるため、通信機器は、通常のマクロセル等の基地局と同様に、フェムトセルの基地局と通信することができる。
【０２７７】
本実施形態では、公衆網であるＬＴＥシステムとフェムトセルに対応する通信システムとは、ＣＳフォールバックを実施するためのマッピングがされていないものとする。すなわち、ＣＤＭＡシステムにおける公衆網である非フェムトセルの音声プロトコルが圏外である場合、通信機器は、ＣＳフォールバックによって非フェムトセルへハンドオーバできないため、フェムトセルが圏内であったとしても、音声発着信に失敗してしまう。
【０２７８】
図２２は、スマートフォン１００におけるＬＴＥシステムの待ち受け中の音声発信処理を示すフローチャートである。
【０２７９】
ステップＳ１において、コントローラ１１０は、ＬＴＥシステムにおいて通信の待ち受けを行う。
【０２８０】
ステップＳ２において、コントローラ１１０は、音声発信の要求があったか否かを判定する。この判定がＹＥＳの場合、処理はステップＳ３に移り、判定がＮＯの場合、ステップＳ２を継続する。
【０２８１】
ステップＳ３において、コントローラ１１０は、ＣＳフォールバック機能によりＣＤＭＡシステムへのハンドオーバを試みる。そして、コントローラ１１０は、ＣＤＭＡシステムへのハンドオーバが成功したか否か、すなわちフォールバック後の音声公衆網が圏内か否かを判定する。この判定がＹＥＳの場合、処理はステップＳ４に移り、判定がＮＯの場合、処理はステップＳ７に移る。
【０２８２】
ステップＳ４において、コントローラ１１０は、ハンドオーバ先のＣＤＭＡシステムで音声公衆網へ発信を行う。
ステップＳ５において、発信に基づく音声通話が終了する。
【０２８３】
ステップＳ６において、コントローラ１１０は、ＣＤＭＡシステムよりも優先されるＬＴＥシステムをサーチし、捕捉したＬＴＥシステムにて通信の待ち受け状態へ移行する。
【０２８４】
ステップＳ７において、コントローラ１１０は、ＣＳフォールバック機能による発信に失敗したので、ＣＤＭＡシステムをサーチして音声発信を再試行する。このとき、フェムトセルに対応する通信システムが優先して捕捉される。
また、コントローラ１１０は、ＣＤＭＡシステムをサーチしている間、このサーチの状況をディスプレイ１０２Ａに表示する。具体的には、電波強度のピクト表示、又は電波状況が良好な場所への移動を促す表示等が行われる。
【０２８５】
ステップＳ８において、コントローラ１１０は、フェムトセルに対応する通信システムを捕捉したか否かを判定する。この判定がＹＥＳの場合、処理はステップＳ９に移る。一方、判定がＮＯの場合、ＣＤＭＡシステムを捕捉できなかったので、処理はステップＳ６に移り、コントローラ１１０は、ＬＴＥシステムにて通信の待ち受け状態へ移行する。
【０２８６】
ステップＳ９において、コントローラ１１０は、通信システムをサーチする場合の捕捉対象からＬＴＥシステムを除外して、ＣＤＭＡシステムからＬＴＥシステムへハンドオーバするのを抑制する。
【０２８７】
ステップＳ１０において、コントローラ１１０は、フェムトセルに対応する通信システムでの発信に基づく音声通話処理を行い、通話の終了を待機する。
【０２８８】
ステップＳ１１において、コントローラ１１０は、捕捉対象からＬＴＥシステムが除外されているので、通話の終了後にＬＴＥシステムへ復帰せず、継続してフェムトセルに対応する通信システムで通信の待ち受けを行う。
【０２８９】
図２３は、スマートフォン１００におけるＬＴＥシステムの待ち受け中の音声着信処理を示すフローチャートである。
【０２９０】
ステップＳ１１において、コントローラ１１０は、ＬＴＥシステムにおいて通信の待ち受けを行う。
【０２９１】
ステップＳ１２において、コントローラ１１０は、ＣＳフォールバック機能により音声着信が通知されたか否かを判定する。この判定がＹＥＳの場合、処理はステップＳ１３に移り、判定がＮＯの場合、ステップＳ１２を継続する。
【０２９２】
ステップＳ１３において、コントローラ１１０は、ＣＳフォールバック機能によりＣＤＭＡシステムへのハンドオーバを試みる。そして、コントローラ１１０は、ＣＤＭＡシステムへのハンドオーバが成功したか否か、すなわちフォールバック後の音声公衆網が圏内か否かを判定する。この判定がＹＥＳの場合、処理はステップＳ１４に移り、判定がＮＯの場合、処理はステップＳ１７に移る。
【０２９３】
ステップＳ１４において、コントローラ１１０は、ハンドオーバ先のＣＤＭＡシステムで音声公衆網からの着信を受ける。
ステップＳ１５において、着信に基づく音声通話が終了する。
【０２９４】
ステップＳ１６において、コントローラ１１０は、ＣＤＭＡシステムよりも優先されるＬＴＥシステムをサーチし、捕捉したＬＴＥシステムにて通信の待ち受け状態へ移行する。
【０２９５】
ステップＳ１７において、コントローラ１１０は、ＣＳフォールバック機能による着信に失敗したことをユーザへ報知する。具体的には、コントローラ１１０は、着信に失敗したことをディスプレイ１０２Ａに表示し、音声公衆網の圏内へ移動するよう促す。
【０２９６】
ステップＳ１８において、コントローラ１１０は、ＣＳフォールバック機能による着信に失敗したので、ＣＤＭＡシステムをサーチして音声着信を再試行する。このとき、フェムトセルに対応する通信システムが優先して捕捉される。
また、コントローラ１１０は、ＣＤＭＡシステムをサーチしている間、このサーチの状況をディスプレイ１０２Ａに表示する。具体的には、電波強度のピクト表示、又は電波状況が良好な場所への移動を促す表示等が行われる。
【０２９７】
ステップＳ１９において、コントローラ１１０は、フェムトセルに対応する通信システムを捕捉したか否かを判定する。この判定がＹＥＳの場合、処理はステップＳ２０に移る。一方、判定がＮＯの場合、ＣＤＭＡシステムを捕捉できなかったので、処理はステップＳ１６に移り、コントローラ１１０は、ＬＴＥシステムにて通信の待ち受け状態へ移行する。
【０２９８】
ステップＳ２０において、コントローラ１１０は、通信システムをサーチする場合の捕捉対象からＬＴＥシステムを除外して、ＣＤＭＡシステムからＬＴＥシステムへハンドオーバするのを抑制する。
【０２９９】
ステップＳ２１において、コントローラ１１０は、フェムトセルに対応する通信システムで着信を待ち受ける。着信があった場合には、コントローラ１１０は、音声通話処理に移行して通話の終了を待機する。
【０３００】
ステップＳ２２において、コントローラ１１０は、捕捉対象からＬＴＥシステムが除外されているので、通話の終了後にＬＴＥシステムへ復帰せず、継続してフェムトセルに対応する通信システムで通信の待ち受けを行う。
【０３０１】
以上のように、本実施形態によれば、スマートフォン１００は、ＣＳフォールバック機能による発信又は着信に失敗した場合、ＣＤＭＡシステムをサーチする。したがって、スマートフォン１００は、サーチの結果フェムトセルに対応する通信システムを捕捉すると、フェムトセルに対応する通信システムで発信又は着信が可能となるので、ＣＳフォールバックによるハンドオーバ後の音声公衆網が圏外となり発着信ができない不都合を回避し、発信又は着信をより快適に行える。
【０３０２】
さらに、スマートフォン１００は、フェムトセルに対応する通信システムを捕捉後にＬＴＥシステムへの復帰を抑制するので、フェムトセルに対応する通信システムでの待ち受けを継続して、音声公衆網が圏外であっても発信又は着信を快適に行える。
【０３０３】
また、スマートフォン１００は、ＣＤＭＡシステムをサーチしている間、サーチの状況を表示するので、音声通話が可能な場所への移動をユーザに促すことができる。
【０３０４】
また、スマートフォン１００は、ＣＳフォールバック機能による着信に失敗した場合、着信に失敗したことをユーザに報知する。したがって、ユーザは、着信があったことを把握し、通話可能なエリアへ移動できる。この結果、スマートフォン１００は、通話の機会が失われる不都合を抑制できる。
【０３０５】
また、スマートフォン１００は、フェムトセルに対応する通信システムを捕捉できなかった場合、ＬＴＥシステムに待ち受けるので、通信不能な状態を回避できる。
なお、ＬＴＥシステムに待ち受ける際、コントローラ１１０は、サーチの結果発見したＬＴＥシステムに待ち受けてもよいが、ＣＳフォールバック機能によるハンドオーバの直前に待ち受けていたＬＴＥシステムに対して待ち受け、サーチの処理を省略してもよい。
【０３０６】
本実施形態においては、スマートフォン１００は、ＣＳフォールバック機能による発信又は着信に失敗した場合に、ＣＤＭＡシステムをサーチしたが、これには限られない。スマートフォン１００は、例えば、ＣＤＭＡシステム以外でも音声通信に対応するシステムならば他のシステムをサーチしてもよい。
【０３０７】
図２１に示したスマートフォン１００の構成は一例であり、本発明の要旨を損なわない範囲において適宜変更してよい。
【０３０８】
図２１においてストレージ１０９が記憶することとしたプログラムの一部又は全部は、通信ユニット１０６による無線通信で他の装置からダウンロードされてもよい。また、図２１においてストレージ１０９が記憶することとしたプログラムの一部又は全部は、ストレージ１０９に含まれる読み取り装置が読み取り可能な記憶媒体に記憶されていてもよい。また、図２１においてストレージ１０９が記憶することとしたプログラムの一部又は全部は、外部インタフェース１１４に接続される読み取り装置が読み取り可能なＣＤ、ＤＶＤ、又はＢｌｕ−ｒａｙ（登録商標）等の記憶媒体に記憶されていてもよい。
また、図２１に示した各プログラムは、複数のモジュールに分割されていてもよいし、他のプログラムと結合されていてもよい。
【０３０９】
また、本実施形態では、通信機器の一例として、スマートフォンについて説明したが、通信機器は、スマートフォンに限定されない。例えば、通信機器は、モバイルフォン、携帯型パソコン、デジタルカメラ、メディアプレイヤ、電子書籍リーダ、ナビゲータ又はゲーム機等の携帯電子機器、あるいは通信機能に特化した通信専用モジュールであってもよい。
【０３１０】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【符号の説明】
【０３１１】
１  携帯電話機（通信機器）
３１  記憶部
３２  通信部
３３  制御部
４１  第１通信制御部
４２  第２通信制御部
４３  設定部
１００  スマートフォン（通信機器）
１０２  タッチスクリーンディスプレイ
１０２Ａ  ディスプレイ（表示部）
１０２Ｂ  タッチスクリーン
１０６  通信ユニット
１１０  コントローラ（制御部）
【図１】
2014061712.tif 000003
【図２】
2014061712.tif 000004
【図３】
2014061712.tif 000005
【図４】
2014061712.tif 000006
【図５】
2014061712.tif 000007
【図６】
2014061712.tif 000008
【図７】
2014061712.tif 000009
【図８】
2014061712.tif 000010
【図９】
2014061712.tif 000011
【図１０】
2014061712.tif 000012
【図１１】
2014061712.tif 000013
【図１２】
2014061712.tif 000014
【図１３】
2014061712.tif 000015
【図１４】
2014061712.tif 000016
【図１５】
2014061712.tif 000017
【図１６】
2014061712.tif 000018
【図１７】
2014061712.tif 000019
【図１８】
2014061712.tif 000020
【図１９】
2014061712.tif 000021
【図２０】
2014061712.tif 000022
【図２１】
2014061712.tif 000023
【図２２】
2014061712.tif 000024
【図２３】
2014061712.tif 000025
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
第１通信システムを優先して通信システムのサーチを開始する通信制御部を備え、
前記通信制御部は、サーチの要求が発生した場合、前記第１通信システム以外の通信システムのサーチを開始する通信機器。
【請求項２】
操作部を備え、
前記サーチの要求は、前記操作部の操作に起因して発生する請求項１に記載の通信機器。
【請求項３】
前記通信制御部は、第２通信システムによって通信の待ち受けを行っている場合、サーチの対象の通信システムから前記第１通信システムを除外する請求項１又は請求項２に記載の通信機器。
【請求項４】
前記第２通信システムは、マクロセルよりもカバーエリアが小さいフェムトセルに対応する通信システムである請求項３に記載の通信機器。
【請求項５】
前記通信制御部は、前記第２通信システム以外の通信システムによって通信の待ち受けを行っている場合、前記サーチの対象の通信システムに前記第１通信システムを含める請求項３又は請求項４に記載の通信機器。
【請求項６】
前記通信制御部は、どの通信システムに対しても通信の待ち受けができない場合、サーチの対象の通信システムに前記第１通信システムを含める請求項１から請求項５のいずれか１項に記載の通信機器。
【請求項７】
前記通信制御部は、前記サーチの対象の通信システムに前記第１通信システムを含めた後、前記第１通信システムから通信システムのサーチを開始する請求項５又は請求項６に記載の通信機器。
【請求項８】
設定部を備え、
前記通信制御部は、前記設定部により前記第１通信システムがサーチの対象の通信システムに含まれるように設定されている場合、前記サーチの対象の通信システムに前記第１通信システムを含める請求項５から請求項７のいずれか１項に記載の通信機器。
【請求項９】
通信機器の通信制御方法であって、
サーチの要求が発生した場合、第１通信システム以外の通信システムのサーチを開始する通信制御方法。
【請求項１０】
第１通信システムを優先して、サーチ対象の通信システムのサーチを開始する通信制御部を備え、
前記通信制御部は、第２通信システムによって通信の待ち受けを行っている場合、前記サーチの対象の通信システムから前記第１通信システムを除外する通信機器。
【請求項１１】
前記通信制御部は、サーチの対象の通信システムから前記第１通信システムを除外した後、圏外状態又は第３通信システムによって通信の待ち受けを行っている場合、前記サーチの対象の通信システムに前記第１通信システムを含める請求項１０に記載の通信機器。
【請求項１２】
前記第２通信システムは、マクロセルよりもカバーエリアが小さいセルを含む通信システムである請求項１０又は１１に記載の通信機器。
【請求項１３】
前記第３通信システムは、マクロセルを含む通信システムである請求項１１に記載の通信機器。
【請求項１４】
設定部を備え、
前記通信制御部は、前記設定部により前記第１通信システムがサーチの対象の通信システムに含まれるように設定されている場合、前記サーチの対象の通信システムに前記第１通信システムを含める請求項１１に記載の通信機器。
【請求項１５】
前記通信制御部は、前記第２通信システム以外の通信システムで通信の待ち受けを行っている場合、サーチの対象の通信システムに前記第１通信システムを含める請求項１０に記載の通信機器。
【請求項１６】
前記通信制御部は、どの通信システムに対しても通信の待ち受けができない場合、前記サーチの対象の通信システムに前記第１通信システムを含める請求項１０から請求項１５のいずれか１項に記載の通信機器。
【請求項１７】
前記通信制御部は、前記サーチの対象の通信システムに前記第１通信システムを含めた後、前記第１通信システムから通信システムのサーチを開始する請求項１５又は請求項１６に記載の通信機器。
【請求項１８】
通信機器の通信制御方法であって、
第２通信システムによって通信の待ち受けを行っている場合、サーチの対象の通信システムから第１通信システムを除外する通信制御方法。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
第１の無線通信システム及び第２の無線通信システムを含む複数の無線通信システムをサーチ対象として、前記第１の無線通信システムを優先して無線通信システムのサーチを開始する制御部を備え、
前記制御部は、ユーザの操作に起因するサーチの要求が発生した場合、前記サーチ対象の前記複数の無線通信システムから前記第１の無線通信システムを除外して、前記無線通信システムのサーチを開始する通信機器。
【請求項２】
操作部をさらに備え、
前記サーチの要求は、前記操作部の操作に起因して発生する請求項１に記載の通信機器。
【請求項３】
前記制御部は、前記第２の無線通信システムによって通信の待ち受けを行っている場合、前記サーチ対象の前記複数の無線通信システムから前記第１の無線通信システムを除外する請求項１又は２に記載の通信機器。
【請求項４】
前記第２の無線通信システムは、マクロセルよりもカバーエリアが小さいフェムトセルに対応する通信システムである請求項３に記載の通信機器。
【請求項５】
前記制御部は、前記第２の無線通信システム以外の通信システムによって通信の待ち受けを行っている場合、前記サーチ対象の前記複数の無線通信システムに前記第１の無線通信システムを含める請求項３又は４に記載の通信機器。
【請求項６】
前記制御部は、いずれの無線通信システムによっても通信の待ち受けができない場合、前記サーチ対象の前記複数の無線通信システムに前記第１の無線通信システムを含める請求項１から５のいずれか１項に記載の通信機器。
【請求項７】
前記制御部は、前記サーチ対象の前記複数の無線通信システムに前記第１の無線通信システムを含めた後、前記無線通信システムのサーチを開始する請求項５又は６に記載の通信機器。
【請求項８】
設定部をさらに備え、
前記制御部は、前記設定部により前記第１の無線通信システムが前記サーチ対象の前記複数の無線通信システムに含まれるように設定されている場合、前記サーチ対象の前記複数の無線通信システムに前記第１の無線通信システムを含める請求項５から７のいずれか１項に記載の通信機器。
【請求項９】
前記第１の無線通信システムは、ＬＴＥであって、
前記第２の無線通信システムは、ＣＤＭＡである請求項１から８のいずれか１項に記載の通信機器。
【請求項１０】
第１の無線通信システム及び第２の無線通信システムを含む複数の無線通信システムをサーチ対象として、前記第１の無線通信システムを優先して無線通信システムのサーチを開始する通信機器を制御する方法であって、
ユーザの操作に起因するサーチの要求が発生した場合、前記サーチ対象の前記複数の無線通信システムから前記第１の無線通信システムを除外して、前記無線通信システムのサーチを開始するよう前記通信機器を制御する方法。
【請求項１１】
第１の無線通信システム及び第２の無線通信システムを含む複数の無線通信システムをサーチ対象として、前記第１の無線通信システムを優先して無線通信システムのサーチを開始する通信機器を制御するためのプログラムであって、
ユーザの操作に起因するサーチの要求が発生した場合、前記サーチ対象の前記複数の無線通信システムから前記第１の無線通信システムを除外して、前記無線通信システムのサーチを開始するよう前記通信機器を制御するためのプログラム。
【請求項１２】
第１の無線通信システム及び第２の無線通信システムを含む複数の無線通信システムをサーチ対象として、前記第１の無線通信システムを優先して無線通信システムのサーチを開始する制御部を備え、
前記制御部は、前記第２の無線通信システムによって通信の待ち受けを行っている場合、前記サーチ対象の前記複数の無線通信システムから前記第１の無線通信システムを除外する通信機器。
【請求項１３】
前記制御部は、前記サーチ対象の前記複数の無線通信システムから前記第１の無線通信システムを除外した後、圏外状態又は第３の無線通信システムによって通信の待ち受けを行っている場合、前記サーチ対象の前記複数の無線通信システムに前記第１の無線通信システムを含める請求項１２に記載の通信機器。
【請求項１４】
前記第２の無線通信システムは、マクロセルよりもカバーエリアが小さいセルを含む通信システムである請求項１２又は１３に記載の通信機器。
【請求項１５】
前記第３の無線通信システムは、マクロセルを含む通信システムである請求項１３に記載の通信機器。
【請求項１６】
設定部をさらに備え、
前記制御部は、前記設定部により前記第１の無線通信システムが前記サーチ対象の前記複数の無線通信システムに含まれるように設定されている場合、前記サーチ対象の前記複数の無線通信システムに前記第１の無線通信システムを含める請求項１３に記載の通信機器。
【請求項１７】
前記制御部は、前記第２の無線通信システム以外の通信システムで通信の待ち受けを行っている場合、前記サーチ対象の前記複数の無線通信システムに前記第１の無線通信システムを含める請求項１２に記載の通信機器。
【請求項１８】
前記制御部は、いずれの無線通信システムによっても通信の待ち受けができない場合、前記サーチ対象の前記複数の無線通信システムに前記第１の無線通信システムを含める請求項１２から１７のいずれか１項に記載の通信機器。
【請求項１９】
前記制御部は、前記サーチ対象の前記複数の無線通信システムに前記第１の無線通信システムを含めた後、前記無線通信システムのサーチを開始する請求項１７又は１８に記載の通信機器。
【請求項２０】
前記第１の無線通信システムは、ＬＴＥであって、
前記第２の無線通信システムは、ＣＤＭＡである請求項１２から１９のいずれか１項に記載の通信機器。
【請求項２１】
第１の無線通信システム及び第２の無線通信システムを含む複数の無線通信システムをサーチ対象として、前記第１の無線通信システムを優先して無線通信システムのサーチを開始する通信機器を制御する方法であって、
前記第２の無線通信システムによって通信の待ち受けを行っている場合、前記サーチ対象の前記複数の無線通信システムから前記第１の無線通信システムを除外するよう前記通信機器を制御する方法。
【請求項２２】
第１の無線通信システム及び第２の無線通信システムを含む複数の無線通信システムをサーチ対象として、前記第１の無線通信システムを優先して無線通信システムのサーチを開始する通信機器を制御するためのプログラムであって、
前記第２の無線通信システムによって通信の待ち受けを行っている場合、前記サーチ対象の前記複数の無線通信システムから前記第１の無線通信システムを除外するよう前記通信機器を制御するためのプログラム。
【手続補正３】
【補正対象書類名】明細書
【補正対象項目名】００１２
【補正方法】変更
【補正の内容】
【００１２】
本発明に係る通信機器は、第１の無線通信システム及び第２の無線通信システムを含む複数の無線通信システムをサーチ対象として、前記第１の無線通信システムを優先して無線通信システムのサーチを開始する制御部を備え、前記制御部は、ユーザの操作に起因するサーチの要求が発生した場合、前記サーチ対象の前記複数の無線通信システムから前記第１の無線通信システムを除外して、前記無線通信システムのサーチを開始する。
【手続補正４】
【補正対象書類名】明細書
【補正対象項目名】００１３
【補正方法】変更
【補正の内容】
【００１３】
前記通信機器は、操作部をさらに備え、前記サーチの要求は、前記操作部の操作に起因して発生してもよい。
【手続補正５】
【補正対象書類名】明細書
【補正対象項目名】００１４
【補正方法】変更
【補正の内容】
【００１４】
前記制御部は、前記第２の無線通信システムによって通信の待ち受けを行っている場合、前記サーチ対象の前記複数の無線通信システムから前記第１の無線通信システムを除外してもよい。
【手続補正６】
【補正対象書類名】明細書
【補正対象項目名】００１５
【補正方法】変更
【補正の内容】
【００１５】
前記第２の無線通信システムは、マクロセルよりもカバーエリアが小さいフェムトセルに対応する通信システムであってもよい。
【手続補正７】
【補正対象書類名】明細書
【補正対象項目名】００１６
【補正方法】変更
【補正の内容】
【００１６】
前記制御部は、前記第２の無線通信システム以外の通信システムによって通信の待ち受けを行っている場合、前記サーチ対象の前記複数の無線通信システムに前記第１の無線通信システムを含めてもよい。
【手続補正８】
【補正対象書類名】明細書
【補正対象項目名】００１７
【補正方法】変更
【補正の内容】
【００１７】
前記制御部は、いずれの無線通信システムによっても通信の待ち受けができない場合、前記サーチ対象の前記複数の無線通信システムに前記第１の無線通信システムを含めてもよい。
【手続補正９】
【補正対象書類名】明細書
【補正対象項目名】００１８
【補正方法】変更
【補正の内容】
【００１８】
前記制御部は、前記サーチ対象の前記複数の無線通信システムに前記第１の無線通信システムを含めた後、前記無線通信システムのサーチを開始してもよい。
【手続補正１０】
【補正対象書類名】明細書
【補正対象項目名】００１９
【補正方法】変更
【補正の内容】
【００１９】
前記通信機器は、設定部をさらに備え、前記制御部は、前記設定部により前記第１の無線通信システムが前記サーチ対象の前記複数の無線通信システムに含まれるように設定されている場合、前記サーチ対象の前記複数の無線通信システムに前記第１の無線通信システムを含めてもよい。
【手続補正１１】
【補正対象書類名】明細書
【補正対象項目名】００２０
【補正方法】変更
【補正の内容】
【００２０】
前記第１の無線通信システムは、ＬＴＥであって、前記第２の無線通信システムは、ＣＤＭＡであってもよい。
【手続補正１２】
【補正対象書類名】明細書
【補正対象項目名】００２１
【補正方法】変更
【補正の内容】
【００２１】
本発明に係る方法は、第１の無線通信システム及び第２の無線通信システムを含む複数の無線通信システムをサーチ対象として、前記第１の無線通信システムを優先して無線通信システムのサーチを開始する通信機器を制御する方法であって、ユーザの操作に起因するサーチの要求が発生した場合、前記サーチ対象の前記複数の無線通信システムから前記第１の無線通信システムを除外して、前記無線通信システムのサーチを開始するよう前記通信機器を制御する。
【手続補正１３】
【補正対象書類名】明細書
【補正対象項目名】００２２
【補正方法】変更
【補正の内容】
【００２２】
本発明に係るプログラムは、第１の無線通信システム及び第２の無線通信システムを含む複数の無線通信システムをサーチ対象として、前記第１の無線通信システムを優先して無線通信システムのサーチを開始する通信機器を制御するためのプログラムであって、ユーザの操作に起因するサーチの要求が発生した場合、前記サーチ対象の前記複数の無線通信システムから前記第１の無線通信システムを除外して、前記無線通信システムのサーチを開始するよう前記通信機器を制御する。
【手続補正１４】
【補正対象書類名】明細書
【補正対象項目名】００２３
【補正方法】変更
【補正の内容】
【００２３】
本発明に係る通信機器は、第１の無線通信システム及び第２の無線通信システムを含む複数の無線通信システムをサーチ対象として、前記第１の無線通信システムを優先して無線通信システムのサーチを開始する制御部を備え、前記制御部は、前記第２の無線通信システムによって通信の待ち受けを行っている場合、前記サーチ対象の前記複数の無線通信システムから前記第１の無線通信システムを除外する。
【手続補正１５】
【補正対象書類名】明細書
【補正対象項目名】００２４
【補正方法】変更
【補正の内容】
【００２４】
前記制御部は、前記サーチ対象の前記複数の無線通信システムから前記第１の無線通信システムを除外した後、圏外状態又は第３の無線通信システムによって通信の待ち受けを行っている場合、前記サーチ対象の前記複数の無線通信システムに前記第１の無線通信システムを含めてもよい。
【手続補正１６】
【補正対象書類名】明細書
【補正対象項目名】００２５
【補正方法】変更
【補正の内容】
【００２５】
前記第２の無線通信システムは、マクロセルよりもカバーエリアが小さいセルを含む通信システムであってもよい。
【手続補正１７】
【補正対象書類名】明細書
【補正対象項目名】００２６
【補正方法】変更
【補正の内容】
【００２６】
前記第３の無線通信システムは、マクロセルを含む通信システムであってもよい。
【手続補正１８】
【補正対象書類名】明細書
【補正対象項目名】００２７
【補正方法】変更
【補正の内容】
【００２７】
前記通信機器は、設定部をさらに備え、前記制御部は、前記設定部により前記第１の無線通信システムが前記サーチ対象の前記複数の無線通信システムに含まれるように設定されている場合、前記サーチ対象の前記複数の無線通信システムに前記第１の無線通信システムを含めてもよい。
【手続補正１９】
【補正対象書類名】明細書
【補正対象項目名】００２８
【補正方法】変更
【補正の内容】
【００２８】
前記制御部は、前記第２の無線通信システム以外の通信システムで通信の待ち受けを行っている場合、前記サーチ対象の前記複数の無線通信システムに前記第１の無線通信システムを含めてもよい。
【手続補正２０】
【補正対象書類名】明細書
【補正対象項目名】００２９
【補正方法】変更
【補正の内容】
【００２９】
前記制御部は、いずれの無線通信システムによっても通信の待ち受けができない場合、前記サーチ対象の前記複数の無線通信システムに前記第１の無線通信システムを含めてもよい。
【手続補正２１】
【補正対象書類名】明細書
【補正対象項目名】００３０
【補正方法】変更
【補正の内容】
【００３０】
前記制御部は、前記サーチ対象の前記複数の無線通信システムに前記第１の無線通信システムを含めた後、前記無線通信システムのサーチを開始してもよい。
【手続補正２２】
【補正対象書類名】明細書
【補正対象項目名】００３１
【補正方法】変更
【補正の内容】
【００３１】
前記第１の無線通信システムは、ＬＴＥであって、前記第２の無線通信システムは、ＣＤＭＡであってもよい。
【手続補正２３】
【補正対象書類名】明細書
【補正対象項目名】００３２
【補正方法】変更
【補正の内容】
【００３２】
本発明に係る方法は、第１の無線通信システム及び第２の無線通信システムを含む複数の無線通信システムをサーチ対象として、前記第１の無線通信システムを優先して無線通信システムのサーチを開始する通信機器を制御する方法であって、前記第２の無線通信システムによって通信の待ち受けを行っている場合、前記サーチ対象の前記複数の無線通信システムから前記第１の無線通信システムを除外するよう前記通信機器を制御する。
【手続補正２４】
【補正対象書類名】明細書
【補正対象項目名】００３３
【補正方法】変更
【補正の内容】
【００３３】
本発明に係るプログラムは、第１の無線通信システム及び第２の無線通信システムを含む複数の無線通信システムをサーチ対象として、前記第１の無線通信システムを優先して無線通信システムのサーチを開始する通信機器を制御するためのプログラムであって、前記第２の無線通信システムによって通信の待ち受けを行っている場合、前記サーチ対象の前記複数の無線通信システムから前記第１の無線通信システムを除外するよう前記通信機器を制御する。
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【国際調査報告】
2014061712.tif 000026
2014061712.tif 000027
2014061712.tif 000028
2014061712.tif 000029
2014061712.tif 000030
2014061712.tif 000031
2014061712.tif 000032
2014061712.tif 000033
2014061712.tif 000034
2014061712.tif 000035